(57)【特許請求の範囲】
【請求項１】
ユーザ機器（ＵＥ）で、第１の無線アクセス技術（ＲＡＴ）の第１のダウンリンクキャリアに関する第１のリソース割当てを受信することと、
前記ＵＥで、第２のＲＡＴの第２のダウンリンクキャリアに関する第２のリソース割当てを受信することであって、前記第１のダウンリンクキャリアと前記第２のダウンリンクキャリアとが、ワイヤレスネットワークにおいてデータを通信するためにアグリゲートされる、受信することと、
前記ＵＥが、前記第１のリソース割当てに少なくとも部分的に基づいて、前記第１のダウンリンクキャリアに対応するアップリンクキャリアを介して前記第１のＲＡＴについての第１のＲＡＴ制御データを通信するためのリソースを判断することと、
前記ＵＥが、前記第２のＲＡＴによって定義される第２の処理時間とは異なる第１の処理時間を判断することであって、前記第１の処理時間が、前記第１のＲＡＴ制御データを通信するために、前記リソースの一部分を介して前記第２のＲＡＴ制御データを通信するためのものである、判断することと、
前記ＵＥが、前記第１の処理時間に基づいて前記第１のＲＡＴ制御データを通信するために、前記リソースの少なくとも前記一部分を介して、前記第１のＲＡＴの前記アップリンクキャリアの制御チャネルを使用して第２のＲＡＴ制御データを通信することと
を備え、通信することは、前記第１のＲＡＴの前記制御チャネル上で送信するために、前記第２のＲＡＴ制御データを適合させることを含む、キャリアアグリゲーション構成において制御情報を通信するための方法。
【請求項２】
前記第１の処理時間を前記判断することが、前記第２のＲＡＴのチャネルに関係するチャネル特性に少なくとも部分的に基づいて複数の処理時間から前記第１の処理時間を選択することを備える、請求項１に記載の方法。
【請求項３】
前記第１のＲＡＴがロングタームエボリューションを備え、前記第２のＲＡＴが高速パケットアクセスを備え、前記第１の処理時間が、前記第１のＲＡＴの７つのスロットまたは８．５個のスロットのいずれかになるように選択される、請求項２に記載の方法。
【請求項４】
前記第１のＲＡＴの第１のＲＡＴ処理時間と前記第２のＲＡＴの前記第２の処理時間との間の固定時間オフセットとして前記第１の処理時間を判断することをさらに備える、請求項１に記載の方法。
【請求項５】
前記第１のＲＡＴがロングタームエボリューションを備え、前記第２のＲＡＴが高速パケットアクセスを備え、前記第１の処理時間が３ミリ秒である、請求項１に記載の方法。
【請求項６】
前記第２のＲＡＴ制御データを前記通信することが、前記第１のＲＡＴに関係する送信周期性と報告オフセットとを使用して前記リソースを介して通信することをさらに備える、請求項１に記載の方法。
【請求項７】
前記第１のＲＡＴがロングタームエボリューションを備える、請求項１に記載の方法。
【請求項８】
前記第１のダウンリンクキャリアを介して前記第１のＲＡＴと前記第２のＲＡＴとについてのシステム情報を受信することをさらに備える、請求項７に記載の方法。
【請求項９】
前記第１のダウンリンクキャリアに少なくとも部分的に基づいて１つまたは複数の発展型ノードＢへのハンドオーバを実行することをさらに備える、請求項７に記載の方法。
【請求項１０】
前記ハンドオーバを前記実行することが、前記第１のダウンリンクキャリアを介してハンドオーバ情報を受信することを備える、請求項９に記載の方法。
【請求項１１】
前記ハンドオーバを前記実行することが、前記第１のダウンリンクキャリアを介してチャネル品質を測定することを備える、請求項９に記載の方法。
【請求項１２】
前記第１のダウンリンクキャリアに対応する前記アップリンクキャリアを使用して、前記第１のＲＡＴのランダムアクセスチャネルを介してアクセスを要求することをさらに備える、請求項９に記載の方法。
【請求項１３】
ユーザ機器（ＵＥ）で、第１の無線アクセス技術（ＲＡＴ）の第１のダウンリンクキャリアに関する第１のリソース割当てを受信し、前記ＵＥで、第２のＲＡＴの第２のダウンリンクキャリアに関する第２のリソース割当てを受信するための手段であって、前記第１のダウンリンクキャリアと前記第２のダウンリンクキャリアとが、ワイヤレスネットワークにおいてデータを通信するためにアグリゲートされる、受信するための手段と、
前記ＵＥが、前記第１のリソース割当てに少なくとも部分的に基づいて、前記第１のダウンリンクキャリアに対応するアップリンクキャリアを介して前記第１のＲＡＴについての第１のＲＡＴ制御データを通信するためのリソースを判断するための手段と、
前記ＵＥが、前記第２のＲＡＴによって定義される第２の処理時間とは異なる第１の処理時間を判断するための手段であって、前記第１の処理時間が、前記第１のＲＡＴ制御データを通信するために、前記リソースの一部分を介して前記第２のＲＡＴ制御データを通信するためのものである、判断するための手段と、
前記ＵＥが、前記第１の処理時間に基づいて前記第１のＲＡＴ制御データを通信するために、前記リソースの少なくとも前記一部分を介して、前記第１のＲＡＴの前記アップリンクキャリアの制御チャネルを使用して第２のＲＡＴ制御データを通信するための手段と
を備え、通信することは、前記第１のＲＡＴの前記制御チャネル上で送信するために、前記第２のＲＡＴ制御データを適合させることを含む、キャリアアグリゲーション構成において制御情報を通信するための装置。
【請求項１４】
判断するための前記手段が、前記第２のＲＡＴのチャネルに関係するチャネル特性に少なくとも部分的に基づいて複数の処理時間から前記第１の処理時間を選択することに部分的によって前記第１の処理時間を判断する、請求項１３に記載の装置。
【請求項１５】
判断するための前記手段が、前記第１のＲＡＴの第１のＲＡＴ処理時間と前記第２のＲＡＴの前記第２の処理時間との間の固定時間オフセットとして前記第１の処理時間を判断する、請求項１３に記載の装置。
【請求項１６】
前記第１のＲＡＴがロングタームエボリューションを備える、請求項１３に記載の装置。
【請求項１７】
前記第１のダウンリンクキャリアに少なくとも部分的に基づいて１つまたは複数の発展型ノードＢへのハンドオーバを実行するための手段をさらに備える、請求項１６に記載の装置。
【請求項１８】
前記第１のダウンリンクキャリアを介して前記第１のＲＡＴと前記第２のＲＡＴとについてのシステム情報を受信するための手段をさらに備え、前記ハンドオーバを前記実行することが、前記第１のダウンリンクキャリアを介してハンドオーバ情報を受信すること、またはチャネル品質を測定することを備える、請求項１７に記載の装置。
【請求項１９】
前記第１のダウンリンクキャリアに対応する前記アップリンクキャリアを使用して、前記第１のＲＡＴのランダムアクセスチャネルを介してサービスを要求するための手段をさらに備える、請求項１６に記載の装置。
【請求項２０】
少なくとも１つのコンピュータに、ユーザ機器（ＵＥ）で、第１の無線アクセス技術（ＲＡＴ）の第１のダウンリンクキャリアに関する第１のリソース割当てを受信させるためのコードと、
前記少なくとも１つのコンピュータに、前記ＵＥで、第２のＲＡＴの第２のダウンリンクキャリアに関する第２のリソース割当てを受信させるためのコードであって、前記第１のダウンリンクキャリアと前記第２のダウンリンクキャリアとが、ワイヤレスネットワークにおいてデータを通信するためにアグリゲートされる、受信させるためのコードと、
前記少なくとも１つのコンピュータに、前記ＵＥが、前記第１のリソース割当てに少なくとも部分的に基づいて、前記第１のダウンリンクキャリアに対応するアップリンクキャリアを介して前記第１のＲＡＴについての第１のＲＡＴ制御データを通信するためのリソースを判断させるためのコードと、
前記少なくとも１つのコンピュータに、前記ＵＥが、前記第２のＲＡＴによって定義される第２の処理時間とは異なる第１の処理時間を判断させるためのコードであって、前記第１の処理時間が、前記第１のＲＡＴ制御データを通信するために、前記リソースの一部分を介して前記第２のＲＡＴ制御データを通信するためのものである、判断させるためのコードと、
前記少なくとも１つのコンピュータに、前記ＵＥが、前記第１の処理時間に基づいて前記第１のＲＡＴ制御データを通信するために、前記リソースの少なくとも前記一部分を介して、前記第１のＲＡＴの前記アップリンクキャリアの制御チャネルを使用して第２のＲＡＴ制御データを通信させるためのコードと
を備え、通信することは、前記第１のＲＡＴの前記制御チャネル上で送信するために、前記第２のＲＡＴ制御データを適合させることを含む、キャリアアグリゲーション構成において制御情報を通信するためのコードを含む、コンピュータ可読記憶媒体。
【請求項２１】
前記少なくとも１つのコンピュータに前記第１の処理時間を判断させるための前記コードが、前記第２のＲＡＴのチャネルに関係するチャネル特性に少なくとも部分的に基づいて複数の処理時間から前記第１の処理時間を選択する、請求項２０に記載のコンピュータ可読記憶媒体。
【請求項２２】
前記少なくとも１つのコンピュータに前記第１の処理時間を判断させるための前記コードが、前記第１のＲＡＴの第１のＲＡＴ処理時間と前記第２のＲＡＴの前記第２の処理時間との間の固定時間オフセットとして前記第１の処理時間を判断する、請求項２０に記載のコンピュータ可読記憶媒体。
【請求項２３】
前記第１のＲＡＴがロングタームエボリューションを備える、請求項２０に記載のコンピュータ可読記憶媒体。
【請求項２４】
前記少なくとも１つのコンピュータに、前記第１のダウンリンクキャリアに少なくとも部分的に基づいて１つまたは複数の発展型ノードＢへのハンドオーバを実行させるためのコードをさらに備える、請求項２３に記載のコンピュータ可読記憶媒体。
【請求項２５】
前記少なくとも１つのコンピュータに、前記第１のダウンリンクキャリアを介して前記第１のＲＡＴと前記第２のＲＡＴとについてのシステム情報を受信させるためのコードをさらに備え、前記少なくとも１つのコンピュータに前記ハンドオーバを実行させるための前記コードが、前記システム情報に基づいて前記第１のダウンリンクキャリアを介してハンドオーバ情報を受信するか、またはチャネル品質を測定する、請求項２４に記載のコンピュータ可読記憶媒体。
【請求項２６】
前記少なくとも１つのコンピュータに、前記第１のダウンリンクキャリアに対応する前記アップリンクキャリアを使用して、前記第１のＲＡＴのランダムアクセスチャネルを介してサービスを要求させるためのコードをさらに備える、請求項２３に記載のコンピュータ可読記憶媒体。
【請求項２７】
プロセッサと、
前記プロセッサと電子通信しているメモリと、
前記メモリに記憶された命令と
を備える、キャリアアグリゲーション構成において制御情報を通信するための装置であって、前記命令が、前記プロセッサによって、
ユーザ機器（ＵＥ）で、第１の無線アクセス技術（ＲＡＴ）の第１のダウンリンクキャリアに関する第１のリソース割当てを受信することと、
前記ＵＥで、第２のＲＡＴの第２のダウンリンクキャリアに関する第２のリソース割当てを受信することであって、前記第１のダウンリンクキャリアと前記第２のダウンリンクキャリアとが、ワイヤレスネットワークにおいてデータを通信するためにアグリゲートされる、受信することと、
前記ＵＥが、前記第１のリソース割当てに少なくとも部分的に基づいて、前記第１のダウンリンクキャリアに対応するアップリンクキャリアを介して前記第１のＲＡＴについての第１のＲＡＴ制御データを通信するためのリソースを判断することと、
前記ＵＥが、前記第２のＲＡＴによって定義される第２の処理時間とは異なる第１の処理時間を判断することであって、前記第１の処理時間が、前記第１のＲＡＴ制御データを通信するために、前記リソースの一部分を介して前記第２のＲＡＴ制御データを通信するためのものである、判断することと、
前記ＵＥが、前記第１の処理時間に基づいて前記第１のＲＡＴ制御データを通信するために、前記リソースの少なくとも前記一部分を介して、前記第１のＲＡＴの前記アップリンクキャリアの制御チャネルを使用して第２のＲＡＴ制御データを通信することと
を行うように実行可能であり、通信することは、前記第１のＲＡＴの前記制御チャネル上で送信するために、前記第２のＲＡＴ制御データを適合させることを含む、装置。
【請求項２８】
前記命令が、前記プロセッサによって、前記第２のＲＡＴのチャネルに関係するチャネル特性に少なくとも部分的に基づいて複数の処理時間から前記第１の処理時間を選択するようにさらに実行可能である、請求項２７に記載の装置。
【請求項２９】
前記命令が、前記プロセッサによって、前記第１のＲＡＴの第１のＲＡＴ処理時間と前記第２のＲＡＴの前記第２の処理時間との間の固定時間オフセットとして前記第１の処理時間を判断するようにさらに実行可能である、請求項２７に記載の装置。
【請求項３０】
前記第１のＲＡＴがロングタームエボリューションを備える、請求項２７に記載の装置。
【請求項３１】
前記命令が、前記プロセッサによって、前記第１のダウンリンクキャリアに少なくとも部分的に基づいて１つまたは複数の発展型ノードＢへのハンドオーバを実行するようにさらに実行可能である、請求項３０に記載の装置。
【請求項３２】
前記命令が、前記プロセッサによって、
前記第１のダウンリンクキャリアを介して前記第１のＲＡＴと前記第２のＲＡＴとについてのシステム情報を受信することと、
前記システム情報に基づいて前記第１のダウンリンクキャリアを介してハンドオーバ情報を受信するか、またはチャネル品質を測定する前記ハンドオーバを実行することと
を行うようにさらに実行可能である、請求項３１に記載の装置。
【請求項３３】
前記命令が、前記プロセッサによって、前記第１のダウンリンクキャリアに対応する前記アップリンクキャリアを使用して、前記第１のＲＡＴのランダムアクセスチャネルを介してサービスを要求するようにさらに実行可能である、請求項３０に記載の装置。
【請求項３４】
ユーザ機器（ＵＥ）で、第１の無線アクセス技術（ＲＡＴ）の第１のダウンリンクキャリアに関する第１のリソース割当てを受信し、前記ＵＥで、第２のＲＡＴの第２のダウンリンクキャリアに関する第２のリソース割当てを受信するためのキャリア割当て受信構成要素であって、前記第１のダウンリンクキャリアと前記第２のダウンリンクキャリアとが、ワイヤレスネットワークにおいてデータを通信するためにアグリゲートされる、キャリア割当て受信構成要素と、
前記ＵＥが、前記第１のリソース割当てに少なくとも部分的に基づいて、前記第１のダウンリンクキャリアに対応するアップリンクキャリアを介して前記第１のＲＡＴについての第１のＲＡＴ制御データを通信するためのリソースを判断するための制御リソース判断構成要素と、ここにおいて前記制御リソース判断構成要素は、前記ＵＥが、前記第２のＲＡＴによって定義される第２の処理時間とは異なる第１の処理時間を判断し、前記第１の処理時間が、前記第１のＲＡＴ制御データを通信するために、前記リソースの一部分を介して前記第２のＲＡＴ制御データを通信するためのものである、
前記ＵＥが、前記第１の処理時間に基づいて前記第１のＲＡＴ制御データを通信するために、前記リソースの少なくとも前記一部分を介して、前記第１のＲＡＴの前記アップリンクキャリアの制御チャネルを使用して第２のＲＡＴ制御データを通信するための制御データ通信構成要素と
を備え、通信することは、前記第１のＲＡＴの前記制御チャネル上で送信するために、前記第２のＲＡＴ制御データを適合させることを含む、キャリアアグリゲーション構成において制御情報を通信するための装置。
【請求項３５】
前記制御リソース判断構成要素が、前記第２のＲＡＴのチャネルに関係するチャネル特性に少なくとも部分的に基づいて複数の処理時間から前記第１の処理時間を選択することに部分的によって前記第１の処理時間を判断する、請求項３４に記載の装置。
【請求項３６】
前記第１のＲＡＴがロングタームエボリューションを備え、前記第２のＲＡＴが高速パケットアクセスを備え、前記第１の処理時間が、前記第１のＲＡＴの７つのスロットまたは８．５個のスロットのいずれかになるように選択される、請求項３５に記載の装置。
【請求項３７】
前記制御リソース判断構成要素が、前記第１のＲＡＴの第１のＲＡＴ処理時間と前記第２のＲＡＴの前記第２の処理時間との間の固定時間オフセットとして前記第１の処理時間を判断する、請求項３４に記載の装置。
【請求項３８】
前記第１のＲＡＴがロングタームエボリューションを備え、前記第２のＲＡＴが高速パケットアクセスを備え、前記第１の処理時間が３ミリ秒である、請求項３４に記載の装置。
【請求項３９】
前記制御データ通信構成要素が、前記第１のＲＡＴに関係する送信周期性と報告オフセットとを使用して前記リソースを介して前記第２のＲＡＴ制御データを通信する、請求項３４に記載の装置。
【請求項４０】
前記第１のＲＡＴがロングタームエボリューションを備える、請求項３４に記載の装置。
【請求項４１】
前記第１のダウンリンクキャリアを介して前記第１のＲＡＴと前記第２のＲＡＴとについてのシステム情報を受信するためのシステム情報受信構成要素をさらに備える、請求項４０に記載の装置。
【請求項４２】
前記第１のダウンリンクキャリアに少なくとも部分的に基づいて１つまたは複数の発展型ノードＢへのハンドオーバを実行するためのハンドオーバ構成要素をさらに備える、請求項４０に記載の装置。
【請求項４３】
前記ハンドオーバ構成要素が、前記第１のダウンリンクキャリアを介してハンドオーバ情報を受信することに部分的に基づいて前記ハンドオーバを実行する、請求項４２に記載の装置。
【請求項４４】
前記ハンドオーバ構成要素が、前記第１のダウンリンクキャリアを介してチャネル品質を測定することに部分的に基づいて前記ハンドオーバを実行する、請求項４２に記載の装置。
【請求項４５】
前記第１のダウンリンクキャリアに対応する前記アップリンクキャリアを使用して、前記第１のＲＡＴのランダムアクセスチャネルを介してアクセスを要求するためのランダムアクセス生成構成要素をさらに備える、請求項４０に記載の装置。
【請求項４６】
ネットワーク構成要素が、ユーザ機器（ＵＥ）に、第１の無線アクセス技術（ＲＡＴ）の第１のダウンリンクキャリアに関するリソースの第１のセットを割り当てることと、
前記ネットワーク構成要素が、前記ＵＥに、第２のＲＡＴの第２のダウンリンクキャリアに関するリソースの第２のセットを割り当てることと、
前記ネットワーク構成要素で、前記第２のＲＡＴによって定義される第２の送信時間とは異なり、かつ前記ＵＥによって判断された、第１の送信時間に基づいて、前記第１のＲＡＴの制御データを通信するために割り当てられたアップリンクキャリアのリソースを介して、前記第１のダウンリンクキャリアに対応する前記アップリンクキャリアの制御チャネルを介してリソースの前記第２のセットについての制御データを受信することであって、前記第１の送信時間が、前記第１のＲＡＴの前記制御データを通信するために、前記リソースを介してリソースの前記第２のセットについての前記制御データを通信するためのものである、受信することと
を備え、リソースの前記第２のセットについての前記制御データは、前記第１のＲＡＴの前記制御チャネル上での送信のために適合される、ワイヤレスネットワークにおいて１つまたは複数のデバイスにキャリアを割り当てるための方法。
【請求項４７】
リソースの前記第２のセットを与えるセルに前記制御データを通信することをさらに備える、請求項４６に記載の方法。
【請求項４８】
前記第１のＲＡＴがロングタームエボリューションである、請求項４６に記載の方法。
【請求項４９】
前記第１のダウンリンクキャリアを介して前記第１のＲＡＴと前記第２のＲＡＴとについてのシステム情報を送信することをさらに備える、請求項４６に記載の方法。
【請求項５０】
前記第１のダウンリンクキャリアを介して１つまたは複数のｅＮＢへの前記ＵＥのためのハンドオーバを実行することをさらに備える、請求項４９に記載の方法。
【請求項５１】
前記第１のダウンリンクキャリア上でランダムアクセスチャネルを通告することをさらに備える、請求項４９に記載の方法。
【請求項５２】
ネットワーク構成要素が、ユーザ機器（ＵＥ）に、第１の無線アクセス技術（ＲＡＴ）の第１のダウンリンクキャリアに関するリソースの第１のセットを割り当て、前記ネットワーク構成要素が、前記ＵＥに、第２のＲＡＴの第２のダウンリンクキャリアに関するリソースの第２のセットを割り当てるための手段と、
前記ネットワーク構成要素で、前記第２のＲＡＴによって定義される第２の送信時間とは異なり、かつ前記ＵＥによって判断された、第１の送信時間に基づいて、前記第１のＲＡＴの制御データを通信するために割り当てられたアップリンクキャリアのリソースを介して、前記第１のダウンリンクキャリアに対応する前記アップリンクキャリアの制御チャネルを介してリソースの前記第２のセットについての制御データを受信するための手段であって、前記第１の送信時間が、前記第１のＲＡＴの前記制御データを通信するために、前記リソースを介してリソースの前記第２のセットについての前記制御データを通信するためのものである、受信するための手段と
を備え、リソースの前記第２のセットについての前記制御データは、前記第１のＲＡＴの前記制御チャネル上での送信のために適合される、ワイヤレスネットワークにおいて１つまたは複数のデバイスにキャリアを割り当てるための装置。
【請求項５３】
前記第２のＲＡＴのための前記制御データを復号するか、またはリソースの前記第２のセットを与えるセルに前記制御データを通信するための手段をさらに備える、請求項５２に記載の装置。
【請求項５４】
少なくとも１つのコンピュータに、ネットワーク構成要素が、ユーザ機器（ＵＥ）に、第１の無線アクセス技術（ＲＡＴ）の第１のダウンリンクキャリアに関するリソースの第１のセットを割り当てさせるためのコードと、
前記少なくとも１つのコンピュータに、前記ネットワーク構成要素が、前記ＵＥに、第２のＲＡＴの第２のダウンリンクキャリアに関するリソースの第２のセットを割り当てさせるためのコードと、
前記少なくとも１つのコンピュータに、前記ネットワーク構成要素で、前記第２のＲＡＴによって定義される第２の送信時間とは異なり、かつ前記ＵＥによって判断された、第１の送信時間に基づいて、前記第１のＲＡＴの制御データを通信するために割り当てられたアップリンクキャリアのリソースを介して、前記第１のダウンリンクキャリアに対応する前記アップリンクキャリアの制御チャネルを介してリソースの前記第２のセットについての制御データを受信させるためのコードであって、前記第１の送信時間が、前記第１のＲＡＴの前記制御データを通信するために、前記リソースを介してリソースの前記第２のセットについての前記制御データを通信するためのものである、受信させるためのコードと
を備え、リソースの前記第２のセットについての前記制御データは、前記第１のＲＡＴの前記制御チャネル上での送信のために適合される、ワイヤレスネットワークにおいて１つまたは複数のデバイスにキャリアを割り当てるためのコードを含む、コンピュータ可読記憶媒体。
【請求項５５】
前記少なくとも１つのコンピュータに、前記第２のＲＡＴのための前記制御データを復号させるか、またはリソースの前記第２のセットを与えるセルに前記制御データを通信させるためのコードをさらに備える、請求項５４に記載のコンピュータ可読記憶媒体。
【請求項５６】
プロセッサと、
前記プロセッサと電子通信しているメモリと、
前記メモリに記憶された命令と
を備える、ワイヤレスネットワークにおいて１つまたは複数のデバイスにキャリアを割り当てるための装置であって、前記命令が、前記プロセッサによって、
ネットワーク構成要素が、ユーザ機器（ＵＥ）に、第１の無線アクセス技術（ＲＡＴ）の第１のダウンリンクキャリアに関するリソースの第１のセットを割り当てることと、
前記ネットワーク構成要素が、前記ＵＥに、第２のＲＡＴの第２のダウンリンクキャリアに関するリソースの第２のセットを割り当てることと、
前記ネットワーク構成要素で、前記第２のＲＡＴによって定義される第２の送信時間とは異なり、かつ前記ＵＥによって判断された、第１の送信時間に基づいて、前記第１のＲＡＴの制御データを通信するために割り当てられたアップリンクキャリアのリソースを介して、前記第１のダウンリンクキャリアに対応する前記アップリンクキャリアの制御チャネルを介してリソースの前記第２のセットについての制御データを受信することであって、前記第１の送信時間が、前記第１のＲＡＴの前記制御データを通信するために、前記リソースを介してリソースの前記第２のセットについての前記制御データを通信するためのものである、受信することと
を行うように実行可能であり、リソースの前記第２のセットについての前記制御データは、前記第１のＲＡＴの前記制御チャネル上での送信のために適合される、装置。
【請求項５７】
前記命令が、前記プロセッサによって、前記第２のＲＡＴのための前記制御データを復号するか、またはリソースの前記第２のセットを与えるセルに前記制御データを通信するようにさらに実行可能である、請求項５６に記載の装置。
【請求項５８】
ネットワーク構成要素が、ユーザ機器（ＵＥ）に、第１の無線アクセス技術（ＲＡＴ）の第１のダウンリンクキャリアに関するリソースの第１のセットを割り当て、前記ネットワーク構成要素が、前記ＵＥに、第２のＲＡＴの第２のダウンリンクキャリアに関するリソースの第２のセットを割り当てるためのキャリア割当て構成要素と、
前記ネットワーク構成要素で、前記第２のＲＡＴによって定義される第２の送信時間とは異なり、かつ前記ＵＥによって判断された、第１の送信時間に基づいて、前記第１のＲＡＴの制御データを通信するために割り当てられたアップリンクキャリアのリソースを介して、前記第１のダウンリンクキャリアに対応する前記アップリンクキャリアの制御チャネルを介してリソースの前記第２のセットについての制御データを受信するための制御データ受信構成要素であって、前記第１の送信時間が、前記第１のＲＡＴの前記制御データを通信するために、前記リソースを介してリソースの前記第２のセットについての前記制御データを通信するためのものである、制御データ受信構成要素と
を備え、リソースの前記第２のセットについての前記制御データは、前記第１のＲＡＴの前記制御チャネル上での送信のために適合される、ワイヤレスネットワークにおいて１つまたは複数のデバイスにキャリアを割り当てるための装置。
【請求項５９】
前記第２のＲＡＴのための前記制御データを復号するか、またはリソースの前記第２のセットを与えるセルに前記制御データを通信するための制御データ処理構成要素をさらに備える、請求項５８に記載の装置。
【請求項６０】
前記第１のＲＡＴがロングタームエボリューションである、請求項５８に記載の装置。
【請求項６１】
前記第１のダウンリンクキャリアを介して前記第１のＲＡＴと前記第２のＲＡＴとについてのシステム情報を送信するためのシステム情報通信構成要素をさらに備える、請求項５８に記載の装置。
【請求項６２】
前記第１のダウンリンクキャリアを介して１つまたは複数のｅＮＢへの前記ＵＥのためのハンドオーバを実行するためのハンドオーバ構成要素をさらに備える、請求項６１に記載の装置。
【請求項６３】
前記第１のダウンリンクキャリア上でランダムアクセスチャネルを通告するためのランダムアクセスパラメータブロードキャスト構成要素をさらに備える、請求項６１に記載の装置。
【発明の詳細な説明】
【米国特許法第１１９条による優先権の主張】
【０００１】
本特許出願は、本出願の譲受人に譲渡され、参照により本明細書に明確に組み込まれる、２０１１年７月２９日に出願された「Method and Apparatus for Aggregating Carriers of Multiple Radio Access Technologies」と題する仮出願第６１／５１３，１８７号に対する優先権を主張する。
【技術分野】
【０００２】
以下の説明は、一般にワイヤレスネットワーク通信に関し、より詳細にはキャリアアグリゲーションに関する。
【背景技術】
【０００３】
ワイヤレス通信システムは、たとえば、ボイス、データなどの様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、これらのシステムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、（たとえば、３ＧＰＰ  ＬＴＥ（Ｌｏｎｇ  Ｔｅｒｍ  Ｅｖｏｌｕｔｉｏｎ）／ＬＴＥ−Ａｄｖａｎｃｅｄ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠することができる。
【０００４】
一般に、ワイヤレス多元接続通信システムは、複数のモバイルユーザ機器（ＵＥ）のための通信を同時にサポートし得る。各ＵＥは、順方向リンクおよび逆方向リンク上での送信を介して１つまたは複数の発展型ノードＢ（ｅＮＢ）と通信し得る。順方向リンク（またはダウンリンク）とは、ｅＮＢからＵＥへの通信リンクを指し、逆方向リンク（またはアップリンク）とは、ＵＥからｅＮＢへの通信リンクを指す。さらに、ＵＥとｅＮＢとの間の通信は、単入力単出力（ＳＩＳＯ）システム、多入力単出力（ＭＩＳＯ）システム、多入力多出力（ＭＩＭＯ）システムなどを介して確立され得る。
【０００５】
ＵＥは、ＬＴＥ、高速パケットアクセス（ＨＳＰＡ：high speed packet access）、ユニバーサルモバイル電気通信システム（ＵＭＴＳ：universal mobile telecommunication system）、および／あるいはそれらの同様の技術または変形態など、１つまたは複数の無線アクセス技術（ＲＡＴ：radio access technology）を使用してｅＮＢと通信することができる。いくつかのＵＥは、ネットワーク動作においてダイバーシティを達成するために、所与の基地局と通信するときにＲＡＴ間で切り替わることができる。さらに、ＵＥが１つまたは複数のコンポーネントキャリア（ＣＣ：component carrier）を介して１つまたは複数のｅＮＢと通信することを可能にするためのキャリアアグリゲーション（ＣＡ：carrier aggregation）が発展している。これにより、ＵＥにおけるスループットを改善することができ、および／または、ＵＥは様々なノードから複数の同時サービスを受信することが可能になる。１つのＣＡ方式では、ＵＥは、複数のサービングセルとのキャリアを確立することができ、１次セル（ＰＣｅｌｌ：primary cell）と呼ばれることがある、ｅＮＢまたは関係するセルとの１次ＣＣ（ＰＣＣ：primary CC）と、２次セル（ＳＣｅｌｌ：secondary cell）と呼ばれることがある、同じまたは他のｅＮＢまたはセルとの１つまたは複数の２次ＣＣ（ＳＣＣ：secondary CC）とを有することができる。ＰＣＣまたはＰＣｅｌｌは、すべてのＣＣに関係する制御データを通信するために使用され得る。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびそれの対応する開示に従って、本開示では、複数の無線アクセス技術（ＲＡＴ）のキャリアをアグリゲートすることに関する様々な態様について説明する。特に、発展型ノードＢ（ｅＮＢ）または他のアクセスポイントと通信するユーザ機器（ＵＥ）または他のデバイスに複数のダウンリンクキャリアが割り当てられ得る。たとえば、各キャリアは、ｅＮＢの異なるセルまたは他のｅＮＢのセルと確立され得る。しかしながら、ＵＥにおいて必要とされるリソースと処理とを節約するために、より少ない数のアップリンクキャリア（たとえば、単一のアップリンクキャリア）が与えられ得る。場合によっては、異なるＲＡＴのダウンリンクキャリアに同じ関係するアップリンクキャリアが割り当てられ得る。したがって、ダウンリンクキャリアの１つのＲＡＴに関係するデータは、別のダウンリンクキャリアの別のＲＡＴのコンテナ、タイミングなどを使用して通信され得、ダウンリンクキャリアはアップリンクキャリアを共有する。
【０００８】
一例では、キャリアアグリゲーション構成において制御情報を通信するための方法が提供される。本方法は、第１のＲＡＴに対応する第１のキャリアに関係する第１のリソース割当てを受信することと、第２のＲＡＴに対応する第２のキャリアに関係する第２のリソース割当てを受信することとを含み、第１のキャリアと第２のキャリアとは、ワイヤレスネットワークにおいてデータを通信するためにアグリゲートされる。本方法は、第１のリソース割当てに少なくとも部分的に基づいて、アップリンクキャリアを介して第１のＲＡＴについての第１のＲＡＴ制御データを通信するためのリソースを判断することと、リソースの少なくとも一部分を介して、第１のＲＡＴの制御データのためのコンテナ中で第２のＲＡＴ制御データを通信することとをさらに含む。
【０００９】
別の態様では、キャリアアグリゲーション構成において制御情報を通信するための装置が提供される。本装置は、第１のＲＡＴに対応する第１のキャリアに関係する第１のリソース割当てを受信し、第２のＲＡＴに対応する第２のキャリアに関係する第２のリソース割当てを受信するための手段であって、第１のキャリアと第２のキャリアとが、ワイヤレスネットワークにおいてデータを通信するためにアグリゲートされる、受信するための手段を含む。本装置は、第１のリソース割当てに少なくとも部分的に基づいて、アップリンクキャリアを介して第１のＲＡＴについての第１のＲＡＴ制御データを通信するためのリソースを判断するための手段と、リソースの少なくとも一部分を介して、第１のＲＡＴの制御データのためのコンテナ中で第２のＲＡＴ制御データを通信するための手段とをさらに含む。
【００１０】
さらに、別の態様では、少なくとも１つのコンピュータに、第１のＲＡＴに対応する第１のキャリアに関係する第１のリソース割当てを受信させるためのコードと、少なくとも１つのコンピュータに、第２のＲＡＴに対応する第２のキャリアに関係する第２のリソース割当てを受信させるためのコードであって、第１のキャリアと第２のキャリアとが、ワイヤレスネットワークにおいてデータを通信するためにアグリゲートされる、受信させるためのコードとを有するコンピュータ可読媒体を含む、キャリアアグリゲーション構成において制御情報を通信するためのコンピュータプログラム製品が提供される。コンピュータ可読媒体は、少なくとも１つのコンピュータに、第１のリソース割当てに少なくとも部分的に基づいて、アップリンクキャリアを介して第１のＲＡＴについての第１のＲＡＴ制御データを通信するためのリソースを判断させるためのコードと、少なくとも１つのコンピュータに、リソースの少なくとも一部分を介して、第１のＲＡＴの制御データのためのコンテナ中で第２のＲＡＴ制御データを通信させるためのコードとをさらに含む。
【００１１】
さらに別の態様では、プロセッサと、プロセッサと電子通信しているメモリとを含む、キャリアアグリゲーション構成において制御情報を通信するための装置が提供される。本装置は、第１のＲＡＴに対応する第１のキャリアに関係する第１のリソース割当てを受信することと、第２のＲＡＴに対応する第２のキャリアに関係する第２のリソース割当てを受信することであって、第１のキャリアと第２のキャリアとが、ワイヤレスネットワークにおいてデータを通信するためにアグリゲートされる、受信することとを行うように、プロセッサによって実行可能な、メモリに記憶された命令をさらに含む。命令は、第１のリソース割当てに少なくとも部分的に基づいて、アップリンクキャリアを介して第１のＲＡＴについての第１のＲＡＴ制御データを通信するためのリソースを判断することと、リソースの少なくとも一部分を介して、第１のＲＡＴの制御データのためのコンテナ中で第２のＲＡＴ制御データを通信することとを行うように、プロセッサによってさらに実行可能である。
【００１２】
さらに、一態様では、キャリアアグリゲーション構成において制御情報を通信するための装置が提供される。本装置は、第１のＲＡＴに対応する第１のキャリアに関係する第１のリソース割当てを受信し、第２のＲＡＴに対応する第２のキャリアに関係する第２のリソース割当てを受信するためのキャリア割当て受信構成要素であって、第１のキャリアと第２のキャリアとが、ワイヤレスネットワークにおいてデータを通信するためにアグリゲートされる、キャリア割当て受信構成要素を含む。本装置は、第１のリソース割当てに少なくとも部分的に基づいて、アップリンクキャリアを介して第１のＲＡＴについての第１のＲＡＴ制御データを通信するためのリソースを判断するための制御リソース判断構成要素と、リソースの少なくとも一部分を介して、第１のＲＡＴの制御データのためのコンテナ中で第２のＲＡＴ制御データを通信するための制御データ通信構成要素とをさらに含む。
【００１３】
一例では、ワイヤレスネットワークにおいて１つまたは複数のデバイスにキャリアを割り当てるための方法が提供される。本方法は、ＵＥに、第１のＲＡＴの第１のキャリアに関係するリソースの第１のセットを割り当てることと、ＵＥに、第２のＲＡＴの第２のキャリアに関係するリソースの第２のセットを割り当てることとを含む。本方法は、第１のＲＡＴの制御データを通信するために割り当てられたアップリンクキャリアのリソースを介して、第１のＲＡＴの制御データのためのコンテナ中でリソースの第２のセットについての制御データを受信することをさらに含む。
【００１４】
別の態様では、ワイヤレスネットワークにおいて１つまたは複数のデバイスにキャリアを割り当てるための装置が提供される。本装置は、ＵＥに、第１のＲＡＴの第１のキャリアに関係するリソースの第１のセットを割り当て、ＵＥに、第２のＲＡＴの第２のキャリアに関係するリソースの第２のセットを割り当てるための手段を含む。本装置は、第１のＲＡＴの制御データを通信するために割り当てられたアップリンクキャリアのリソースを介して、第１のＲＡＴの制御データのためのコンテナ中でリソースの第２のセットについての制御データを受信するための手段をさらに含む。
【００１５】
さらに、別の態様では、少なくとも１つのコンピュータに、ＵＥに、第１のＲＡＴの第１のキャリアに関係するリソースの第１のセットを割り当てさせるためのコードと、少なくとも１つのコンピュータに、ＵＥに、第２のＲＡＴの第２のキャリアに関係するリソースの第２のセットを割り当てさせるためのコードとを有するコンピュータ可読媒体を含む、ワイヤレスネットワークにおいて１つまたは複数のデバイスにキャリアを割り当てるためのコンピュータプログラム製品が提供される。コンピュータ可読媒体は、少なくとも１つのコンピュータに、第１のＲＡＴの制御データを通信するために割り当てられたアップリンクキャリアのリソースを介して、第１のＲＡＴの制御データのためのコンテナ中でリソースの第２のセットについての制御データを受信させるためのコードをさらに含む。
【００１６】
さらに別の態様では、プロセッサと、プロセッサと電子通信しているメモリとを含む、ワイヤレスネットワークにおいて１つまたは複数のデバイスにキャリアを割り当てるための装置が提供される。本装置は、ＵＥに、第１のＲＡＴの第１のキャリアに関係するリソースの第１のセットを割り当てることと、ＵＥに、第２のＲＡＴの第２のキャリアに関係するリソースの第２のセットを割り当てることとを行うように、プロセッサによって実行可能な、メモリに記憶された命令をさらに含む。命令は、第１のＲＡＴの制御データを通信するために割り当てられたアップリンクキャリアのリソースを介して、第１のＲＡＴの制御データのためのコンテナ中でリソースの第２のセットについての制御データを受信するように、プロセッサによってさらに実行可能である。
【００１７】
さらに、一態様では、ワイヤレスネットワークにおいて１つまたは複数のデバイスにキャリアを割り当てるための装置が提供される。本装置は、ＵＥに、第１のＲＡＴの第１のキャリアに関係するリソースの第１のセットを割り当て、ＵＥに、第２のＲＡＴの第２のキャリアに関係するリソースの第２のセットを割り当てるためのキャリア割当て構成要素を含む。本装置は、第１のＲＡＴの制御データを通信するために割り当てられたアップリンクキャリアのリソースを介して、第１のＲＡＴの制御データのためのコンテナ中でリソースの第２のセットについての制御データを受信するための制御データ受信構成要素をさらに含む。
【００１８】
上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１９】
添付の図面とともに以下に説明する開示する態様は、開示する態様を限定するためではなく、開示する態様を例示するために与えられ、同様の表示は同様の要素を示す。
【図面の簡単な説明】
【００２０】
【図１】複数のキャリアを介して通信を提供するための例示的なシステムを示す図。
【図２】キャリアアグリゲーション（ＣＡ）中の例示的な構成要素キャリア（ＣＣ）構成を示す図。
【図３】別のＲＡＴのＣＣを介して１つの無線アクセス技術（ＲＡＴ）の制御データを通信するための例示的なシステムを示す図。
【図４】別のＲＡＴのＣＣを介して１つの無線アクセス技術（ＲＡＴ）の制御データを受信するための例示的なシステムを示す図。
【図５】ロングタームエボリューション（ＬＴＥ）通信と高速パケットアクセス（ＨＳＰＡ）通信とのための例示的なタイムラインを示す図。
【図６】ロングタームエボリューション（ＬＴＥ）通信と高速パケットアクセス（ＨＳＰＡ）通信とのための例示的なタイムラインを示す図。
【図７】別のＲＡＴのリソースを介して１つのＲＡＴの制御データを通信するための例示的な方法を示す図。
【図８】別のＲＡＴのリソースを介して１つのＲＡＴの制御データを受信するための例示的な方法を示す図。
【図９】本明細書で説明する態様による例示的なモバイルデバイスを示す図。
【図１０】本明細書で説明する態様による例示的なシステムを示す図。
【図１１】例示的なキャリアアグリゲーション構成を示す図。
【図１２】例示的なＭＡＣレイヤキャリアアグリゲーションを示す図。
【図１３】ネットワークアーキテクチャの一例を示す図。
【図１４】アクセスネットワークの一例を示す図。
【図１５】ＬＴＥにおけるダウンリンク（ＤＬ）フレーム構造の一例を示す図。
【図１６】ＬＴＥにおけるアップリンク（ＵＬ）フレーム構造の一例を示す図。
【図１７】ユーザプレーンおよび制御プレーンのための無線プロトコルアーキテクチャの一例を示す図。
【図１８】アクセスネットワーク中の発展型ノードＢおよびユーザ機器の一例を示す図。
【詳細な説明】
【００２１】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２２】
本明細書では、複数の無線アクセス技術（ＲＡＴ）を使用したキャリアアグリゲーションに関係する様々な態様について説明する。たとえば、ユーザ機器（ＵＥ）または他のワイヤレスデバイスは、それのセル中の発展型ノードＢ（ｅＮＢ）または他のアクセスポイントとの、ＲＡＴの１つまたは複数のコンポーネントキャリア（ＣＣ）の割当てを受信するか、またはさもなければＲＡＴの１つまたは複数のＣＣを確立することができる。ＵＥはまた、同じまたは異なるｅＮＢの同じまたは異なるセル中で異なるＲＡＴの１つまたは複数の他のＣＣを確立することができる。いくつかのシナリオでは、各ダウンリンクＣＣは対応するアップリンクＣＣを有することができる。他のシナリオでは、１つまたは複数のダウンリンクＣＣは、ＵＥにおいて処理時間の最小化、電力およびリソースの節約などを行うために、アップリンクＣＣを共有することができる。この例では、ＲＡＴのダウンリンクＣＣに関係するデータは、アップリンクＣＣを共有する別のＲＡＴのコンテナ、タイミングなどを使用してアップリンクＣＣを介して通信され得る。
【００２３】
特定のキャリアアグリゲーション（ＣＡ）例では、ＵＥは、１次セル（ＰＣｅｌｌ）と呼ばれることもある、ｅＮＢのセル中の１次ＣＣ（ＰＣＣ）と、２次セル（ＳＣｅｌｌ）と呼ばれることもある、同じまたは別のｅＮＢの１つまたは複数のセル中の１つまたは複数の２次ＣＣ（ＳＣＣ）とを確立することができる。ＰＣｅｌｌとＳＣｅｌｌとは、ワイヤレスネットワークアクセスを与えるために異なるＲＡＴを利用することができる。この例では、ＵＥは、ＰＣｅｌｌと、すべてのセルに対応する制御情報を通信するとともに、それぞれのＰＣｅｌｌと（１つまたは複数の）ＳＣｅｌｌとを介して制御データ、チャネル割当て、チャネル通信などを受信することができる。
【００２４】
概して、単一のアップリンクＣＣ（またはより少ない数のアップリンクＣＣ）を共有する複数のダウンリンクＣＣに関して本明細書で説明するが、これらの概念は、単一のダウンリンクＣＣ（またはより少ない数のダウンリンクＣＣ）を共有する複数のアップリンクＣＣにも適用され得ることを諒解されたい。
【００２５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散されることができる。さらに、これらの構成要素は、様々なデータ構造を記憶している様々なコンピュータ可読媒体から実行することができる。これらの構成要素は、ローカルシステム、分散型システム、および／または他のシステムを用いるインターネットなどのネットワーク中の別の構成要素と信号を介して対話する１つの構成要素からのデータなど、１つまたは複数のデータパケットを有する信号によるなどのローカルプロセスおよび／またはリモートプロセスを介して通信することができる。
【００２６】
さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とにおいて使用する冠詞「ａ」および「ａｎ」は、別段に規定されていない限り、または単数形を対象とすることが文脈から明らかでない限り、概して「１つまたは複数」を意味するものと解釈されるべきである。
【００２７】
いくつかのデバイス、構成要素、モジュールなどを含むことができるシステムに関して、様々な態様または特徴を提示する。様々なシステムは、追加のデバイス、構成要素、モジュールなどを含むことができ、および／または各図に関連して論じるデバイス、構成要素、モジュールなどのすべてを含むとは限らないことを理解および諒解されたい。これらの手法の組合せも使用され得る。
【００２８】
図１に、ネットワーク通信においてＣＡを提供するための例示的なワイヤレス通信システム１００を示す。システム１００は、１つまたは複数のｅＮＢ１０４、１０６、および１０８の１つまたは複数のセルによってサービスされるＵＥ１０２を含む。図示された例では、ｅＮＢ１０４は複数のセル１１０、１１２、および１１４を与え、ｅＮＢ１０６は複数のセル１１６、１１８、および１２０を与え、ｅＮＢ１０８は複数のセル１２２、１２４、および１２６を与える。マクロノードカバレージとして実質的に示されているが、システム１００は、１つまたは複数のフェムトノード、リレーなどを含むことができ、同様に、１つまたは複数のＵＥをサービスするために、一例では、ｅＮＢ１０４、１０６、１０８の１つまたは複数のセル内に展開され得る追加のセルを与えることができることを諒解されたい。さらに、システム１００は、ｅＮＢ１０４、１０６、および１０８と、コアワイヤレスネットワークの構成要素など、１つまたは複数の他の構成要素との間の通信を可能にすることができるネットワークコントローラ１４０を含む。ＵＥ１０２は、モバイルまたは固定端末、モデム（または他のテザーデバイス）、それらの一部分など、ワイヤレスネットワークの１つまたは複数の構成要素と通信することが可能な実質的に任意のデバイスであり得ることを諒解されたい。さらに、ｅＮＢ１０４、１０６、および１０８は、マクロノード、フェムトノード、ピコノード、モバイル基地局、リレーノード、（たとえば、ＵＥ１０２とピアツーピアまたはアドホックモードで通信する）ＵＥ、それらの一部分など、ワイヤレスネットワークにおいて１つまたは複数のＵＥまたは他のデバイスと通信することができる実質的に任意の基地局であり得る。
【００２９】
一例では、ＵＥ１０２は、ＣＡ中のそれぞれのＣＣ１３０、１３２、１３４、および随意に１３６を介してセル１１０および１１２によってサービスされ得る。一例では、ＵＥ１０２およびｅＮＢ１０４は、ＰＣｅｌｌと呼ばれることがあるセル１１０中でダウンリンクＰＣＣとしてキャリア１３０を確立し、アップリンクＰＣＣとしてキャリア１３２を確立することができる。さらに、ＵＥ１０２およびｅＮＢ１０４は、ＳＣｅｌｌと呼ばれることがあるセル１１２中でダウンリンクＳＣＣとしてキャリア１３４を確立することができ、アップリンクＳＣＣとしてキャリア１３６を随意に確立することができる。一例では、ＵＥ１０２は、他のＳＣｅｌｌｓともダウンリンクおよび／またはアップリンクＳＣＣを確立することができることを諒解されたい。ＵＥ１０２は、実質的にすべての確立されたＣＣ１３０、１３２、１３４、および／または１３６を介してユーザプレーン（非制御）データを通信することができ、ダウンリンクＣＣ１３０および１３４を介して制御データを受信することができる。ＵＥ１０２はまた、アップリンクＰＣＣ１３２を介してｅＮＢ１０４に制御データを通信することができるが、ＵＥ１０２において送信リソースと電力とを節約しようとして制御データ（または他のアップリンクデータ）を通信するためにアップリンクＳＣＣ１３６を確立するかまたは利用することを行うことも行わないこともある。
【００３０】
したがって、一例では、ＵＥ１０２は、ダウンリンクＣＣ１３０および１３４（および／または他のダウンリンクＣＣ）に関係する制御データを通信するためにアップリンクＰＣＣ１３２を使用することができる。ＵＥ１０２は、一例では、ダウンリンクＣＣ１３０および１３４についてのアップリンクユーザプレーンデータを通信するためにもアップリンクＰＣＣ１３２を使用することができることを諒解されたい。さらに、一例では、ｅＮＢ１０４は、セル１１０および１１２の各々で異なるＲＡＴ（たとえば、セル１１０ではＬＴＥ、セル１１２ではＨＳＰＡ）を使用して通信することができる。これは、アップリンクＰＣＣ１３２を介して両方のセルについての制御データを通信することに関してさらなる複雑さをもたらすことがある。したがって、一例では、ＤＬ  ＰＣＣ１３０およびＤＬ  ＳＣＣ１３４についての制御データを通信するために、アップリンクＰＣＣ１３２のＲＡＴに関係するコンテナ、タイミングなどが使用され得る。
【００３１】
図２に、ＵＥのための例示的なキャリア構成２００、２０２、および２０４を示す。キャリア構成２００は、上記で説明したようにＰＣＣと呼ばれることもあるＰＣｅｌｌに対応するダウンリンク（ＤＬ）ＲＡＴ１キャリア２０６と、ＳＣＣと呼ばれることもあるＳＣｅｌｌに対応するＤＬ  ＲＡＴ２キャリア２０８とを含む。ＰＣｅｌｌとＳＣｅｌｌとは、説明したように、１つまたは複数のｅＮＢによって与えられ得る。たとえば、ＵＥに、第１のＲＡＴを介してＰＣｅｌｌからデータを受信するための、ＰＣｅｌｌからのＤＬ  ＲＡＴ１  ＰＣＣ２０６が割り当てられ、第２のＲＡＴを介してＳＣｅｌｌからデータを受信するための、ＳＣｅｌｌからのＤＬ  ＲＡＴ２  ＳＣＣ２０８が割り当てられ得る。ＵＥは、さらに、ＰＣｅｌｌからのアップリンク（ＵＬ）ＲＡＴ１  ＰＣＣ２１０を確立するか、それが割り当てられるか、またはさもなければそれを判断する。一例では、ＵＥは、ＤＬ  ＲＡＴ１  ＰＣＣ２０６に対応するリソース、ＤＬ  ＲＡＴ１  ＰＣＣ２０６の割当てまたは確立中に受信されたリソース、場合によってはＰＣｅｌｌまたは関係するｅＮＢによって示されたリソースなどに少なくとも部分的に基づいて、ＵＬ  ＲＡＴ１  ＰＣＣ２１０または関係するリソースを判断することができる。
【００３２】
さらに、説明したように、ＵＬ  ＲＡＴ１  ＰＣＣ２１０は、それに関係する制御データを通信するためのＤＬ  ＲＡＴ１  ＰＣＣ２０６とＤＬ  ＲＡＴ２  ＳＣＣ２０８の両方にリンクされ得る。したがって、場合によっては、ＲＡＴ２に関係する制御データは、ＲＡＴ１に関係するアップリンクリソースを介して通信される。この例では、ＲＡＴ２制御データは、ＵＬ  ＲＡＴ１  ＰＣＣ２１０を介して通信するように適合され得る。たとえば、これは、ＲＡＴ２によって定義されたものとは異なるが、ＲＡＴ１に適合するＲＡＴ２制御データを通信するための処理時間を利用することを含むことができる。たとえば、処理時間は、ＲＡＴにおいてダウンリンクキャリアを介して通信を受信することと、通信のためのフィードバックを送信することとの間の時間の長さに対応することができる。したがって、ＲＡＴのｅＮＢは、処理時間内の所与の通信のためのフィードバック（たとえば、再送信フィードバック、チャネル品質または基準信号フィードバックなど）を受信することを予想することができ、処理時間は、異なるＲＡＴの間で変化することがある。ＵＬ  ＲＡＴ１  ＰＣＣ２１０がＲＡＴ２の制御データを通信するためのＲＡＴ１における処理時間は、この例では、ＲＡＴ２によって定義された処理時間との差異を最小化するように選択され得る。別の例では、ＲＡＴ２制御データを適合することは、ＲＡＴ２制御データを通信するためにＲＡＴ１コンテナ（たとえば、ＲＡＴの制御チャネル）を利用すること（たとえば、および／またはＲＡＴ１に関係する周期性、タイミングオフセットなどを使用すること）を含むことができる。特定の一例では、本明細書でさらに詳細に説明するように、ＲＡＴ１はＬＴＥであり得、ＲＡＴ２はＨＳＰＡであり得る。本明細書で説明する態様はこのキャリア構成２００に適用され得る。
【００３３】
キャリア構成２０２は、対応するＵＬ  ＲＡＴ１  ＣＣ２１４をもつＤＬ  ＲＡＴ１  ＣＣ２１２を含む。したがって、この例では、ＤＬ  ＲＡＴ１  ＣＣ２１２に関係する制御データは、概して、対応するＵＬ  ＲＡＴ１  ＣＣ２１４を介して送信され得る。同様に、キャリア構成２０２は、対応するＵＬ  ＲＡＴ２  ＣＣ２１８を有するＤＬ  ＲＡＴ２  ＣＣ２１６を含む。したがって、ＤＬ  ＲＡＴ２  ＣＣ２１６に関係する制御データは、対応するＵＬ  ＲＡＴ２  ＣＣ２１８を介して通信され得る。したがって、所与のダウンリンクＣＣに関係する制御データは対応するアップリンクＣＣを介して通信され得るので、ＰＣＣまたはＳＣＣ差異は使用されない。ＵＬ  ＲＡＴ１  ＣＣ２１４およびＵＬ  ＲＡＴ２  ＣＣ２１８は、説明したように、それぞれ、ＤＬ  ＲＡＴ１  ＣＣ２１２リソースおよびＤＬ  ＲＡＴ２  ＣＣ２１６リソース、またはそれらの割当て中に受信されたリソースに少なくとも部分的に基づいて判断され得る。
【００３４】
別の可能なキャリア構成２０４は、ＤＬ  ＲＡＴ１  ＰＣＣ２２０と対応するＵＬ  ＲＡＴ１  ＰＣＣ２２２とを含む。さらに、ＵＥが、異なるＲＡＴの別のＵＬキャリア、ＵＬ  ＲＡＴ２  ＳＣＣ２２４に割り当てられ得る。この例では、ＵＥは、ＤＬ  ＲＡＴ１  ＰＣＣ２２０から異なるＲＡＴのＵＬ  ＣＣ（たとえば、ＵＬ  ＲＡＴ１  ＰＣＣ２２２およびＵＬ  ＲＡＴ２  ＳＣＣ２２４）のためのキャリア割当てを受信することができる。同様に、ＵＬ  ＲＡＴ１  ＰＣＣ２２２とＵＬ  ＲＡＴ２  ＳＣＣ２２４とに関係する制御データは、上記で説明したように、ＲＡＴ１のタイミング、コンテナなどを使用してＤＬ  ＲＡＴ１  ＰＣＣ２２０を介して通信され得ることを諒解されたい。
【００３５】
図３に、ＣＡ中の複数のキャリア割当てを受信するための例示的なシステム３００を示す。システム３００は、１つまたは複数のｅＮＢによって与えられるセル３０４および／または３０６中でｅＮＢと通信することができるＵＥ３０２を含む。たとえば、ＵＥ３０２が、１つまたは複数のセル３０４および／または３０６中のリソースに、ＲＡＴを使用してそれと通信するための１つまたは複数のＣＣの形態で割り当てられ得る。ＵＥ３０２は、モバイル端末、固定端末、モデム（または他のテザーデバイス）、それらの一部分など、ワイヤレスネットワークにおいて通信する実質的に任意のデバイスであり得る。セル３０４および３０６は１つまたは複数のｅＮＢによって与えられ得、ＰＣｅｌｌ３０４およびＳＣｅｌｌ３０６への参照は、本明細書ではまた、セルを与えるｅＮＢを指すために使用される。そのようなｅＮＢはそれぞれ、マクロノード、フェムトノード、ピコノードなど、モバイル基地局、リレーノード、ＵＥ３０２とピアツーピアまたはアドホックモードで通信するＵＥ、それらの一部分などであり得る。
【００３６】
ＵＥ３０２は、アグリゲートＣＣ割当てであり得る、ＰＣｅｌｌ３０４、ＳＣｅｌｌ３０６、および／または関係するｅＮＢからＣＣ割当てを取得するためのキャリア割当て受信構成要素３０８と、ＣＣのうちの少なくとも１つについての制御データを通信すべき、１つまたは複数のＣＣおよび／または関係するタイミングあるいは他のリソースなどの制御リソースを判断するための制御リソース判断構成要素３１０と、制御リソースを介して制御データを通信するための制御データ通信構成要素３１２とを含む。ＵＥ３０２はまた、随意に、（たとえば、１つまたは複数のｅＮＢから）１つまたは複数のセル中でブロードキャストされるシステム情報（たとえば、ＬＴＥにおけるシステム情報ブロック（ＳＩＢ：system information block））を取得するためのシステム情報受信構成要素３１４、別のセルまたは関係するｅＮＢに通信をハンドオーバすることに関係する１つまたは複数の機能を実行する（たとえば、測定報告を生成する、ハンドオーバコマンドを受信するなど）ためのハンドオーバ構成要素３１６、および／またはランダムアクセスチャネル（ＲＡＣＨ：random access channel）を介して１つまたは複数のｅＮＢへのアクセスを要求するためのランダムアクセス生成構成要素３１８を含むことができる。
【００３７】
一例によれば、ＰＣｅｌｌ３０４は、ＵＥ３０２に、ＲＡＴ（ＲＡＴ１）に関係するＰＣＣ３３０を割り当てることができる。キャリア割当て受信構成要素３０８は、ＰＣＣ３３０の割当て３２０を取得することができ、ＰＣＣ３３０を介してＰＣｅｌｌ３０４から通信を受信することができる。同様に、ＳＣｅｌｌ３０６は、ＵＥ３０２に別のＲＡＴ（ＲＡＴ２）に関係するＳＣＣ３３２を割り当てることができ、キャリア割当て受信構成要素３０８は、同様に、割当て３２２を取得し、ＳＣＣ３３２を介してＳＣｅｌｌ３０６から通信を受信することができる。さらに、制御リソース判断構成要素３１０は、ＰＣｅｌｌ３０４に、ＰＣＣ３３０のダウンリンク部分に関係するＲＡＴ１制御データを通信するためのアップリンクキャリアおよび／または関係するリソースを判断することができる。たとえば、制御リソース判断構成要素３１０は、割当て３２０中で受信された、ダウンリンク部分に関係するリソース、ダウンリンク部分に関係する制御データを通信するために使用され得るリソースの受信指示などに少なくとも部分的に基づいてＰＣＣ３３０のアップリンク部分を判断することができる。いずれの場合も、制御リソース判断構成要素３１０は、上記で説明したように、ＰＣＣ３３０のアップリンク部分を介してＳＣＣ３３２に関係するＲＡＴ２制御データ３２４を通信することも判断することができる。したがって、制御データ通信構成要素３１２は、ＰＣＣ３３０を介して両方のキャリアに関係する制御データ（または他のアップリンクデータ）を通信することができる。説明したように、これは、ＲＡＴ１  ＰＣＣ３３０を介した送信のためにＲＡＴ２制御データを適合させることを含むことができる。
【００３８】
たとえば、制御リソース通信構成要素３１２は、ＲＡＴ１に関係するＰＣＣ３３０のアップリンク部分を介してＲＡＴ２制御データを通信するためのＲＡＴ１に適合する処理時間に対応する処理時間を利用することができる。たとえば、制御リソース通信構成要素３１２は、ＲＡＴ２に対して定義された処理時間との差異を最小化するように処理時間を選択することができる。一例では、ＲＡＴ１とＲＡＴ２とのためのタイミングは整合しないことがあり、したがって、制御リソース判断構成要素３１０は、制御データ通信構成要素３１２がＲＡＴ１リソースを介してＲＡＴ２制御データを通信するのに使用するための処理時間が、ＲＡＴ２に対して定義された処理時間よりもわずかに少なくなるように、またはわずかに大きくなるように選択することができる。
【００３９】
特定の例では、ＲＡＴ１はＬＴＥであり得、ＲＡＴ２はＨＳＰＡであり得る。たとえば、ＨＳＰＡ制御データは、ハイブリッド自動再送／要求（ＨＡＲＱ：hybrid automatic repeat/request）フィードバックなど、ＨＳＰＡのための再送信フィードバックに対応することができる。この例では、および、さらに図５に示すように、ＨＳＰＡのためのＵＬ肯定応答（ＡＣＫ）送信は、フレームの開始または他の基準点から５つのスロット（３．３３ｍｓ）であり得る、対応するＨＳＰＡデータ送信の終了の後７．５個の（５ｍｓの）スロットで行うことができる。一例では、制御リソース判断構成要素３１０は、ＬＴＥ  ＰＣＣ３３０を介してＳＣＣ３３２に関係するＨＳＰＡアップリンクＡＣＫ３２４を通信するためのＬＴＥサブフレームに整合する、ＨＳＰＡデータ送信の終了から８．５個のスロット（５．６６ｍｓ）の処理時間を選択することができる。別の例では、制御リソース判断構成要素３１０は、ＬＴＥ  ＰＣＣ３３０を介してＳＣＣ３３２に関係するＨＳＰＡアップリンクＡＣＫ３２４を通信するための前のＬＴＥサブフレームに整合する、ＨＳＰＡデータ送信の終了から７つのスロット（４．６６ｍｓ）の処理時間を選択することができる。両方の例は、ＬＴＥチャネルとＨＳＰＡチャネルとに関係する様々なフレームの整合を示す図５に示されている。いずれの例でも、選択された処理時間は、ＨＳＰＡでは５ｍｓのアップリンクＡＣＫ送信時間の近くにとどまるように選択され得る。
【００４０】
８．５個のスロットを使用すると、奇数番号のＬＴＥサブフレームにおいてＨＳＰＡのためのＵＬ  ＡＣＫのタイミングを生じることができ、一方、７つのスロットを使用すると、偶数番号のＬＴＥサブフレームにおいてＨＳＰＡのためのＵＬ  ＡＣＫのタイミングを生じることができる。さらに、一例では、制御リソース判断構成要素３１０は、ＵＥ構成、ＨＳＰＡチャネルのチャネル特性（たとえば、高速共有制御チャネル（ＨＳ−ＳＣＣＨ：high speed shared control channel）のチャネルインデックス）など、ＵＥ３０２に関係する１つまたは複数のパラメータに少なくとも部分的に基づいて、２つの処理時間および／または他の処理時間の間で選択する（か、またはさもなければ処理時間を判断する）ことができる。たとえば、そのようなパラメータは、複数のＵＥからの送信のタイミングにダイバーシティを与えるために使用され得る。別の例では、制御リソース判断構成要素３１０は、ＲＡＴ１  ＰＣＣ３３０を介してＲＡＴ２制御データを通信するためのＲＡＴ１とＲＡＴ２とのタイミング差に対応する、ＰＣＣ３３０とＳＣＣ３３２との間の固定タイミングオフセットを利用することができる。一例では、固定タイミングオフセットは、ＵＥ３０２においてハードコーディングされること、（たとえば、１つまたは複数のセルまたはネットワーク構成要素から）構成またはブロードキャストメッセージ中で受信されることなどがあり得る。さらなる一例では、制御リソース判断構成要素３１０は、ＨＳＰＡ制御データを通信するために、ＬＴＥのために使用される３ｍｓのタイミングを使用することができる。いずれの場合も、制御データ通信構成要素３１２は、ＬＴＥ  ＰＣＣ３３０を介して（たとえば、物理アップリンク制御チャネル（ＰＵＣＣＨ：physical uplink control channel）、物理アップリンク共有チャネル（ＰＵＳＣＨ：physical uplink shared channel）または他のＬＴＥチャネルを介して）ＳＣＣ３３２のためのＨＳＰＡ再送信制御データを通信することができる。
【００４１】
別の例では、ＲＡＴ２制御データは、ＨＳＰＡについてのチャネル状態情報（ＣＳＩ：channel state information）に対応することができる。ＣＳＩは、たとえば、チャネル品質インジケータ（ＣＱＩ：channel quality indicator）、プリコーディング行列インジケータ（ＰＭＩ：precoding matrix indicator）、ランクインジケータ（ＲＩ：rank indicator）などを含むことができる。この特定の例では、制御リソース判断構成要素３１０は、ＲＡＴ２  ＣＣ３３２に関係するＨＳＰＡについてのＣＳＩを通信するためのＰＣＣ３３０の１つまたは複数のＬＴＥコンテナ（たとえば、ＰＵＣＣＨ、ＰＵＳＣＨなど）に関係するリソースを判断することができる。さらに、ＣＳＩ情報は、定義された周期性および／または報告オフセットを用いて送信され得る。したがって、制御リソース判断構成要素３１０は、さらに、ＲＡＴ２（たとえば、ＨＳＰＡ）についてのＣＳＩを通信するためのＲＡＴ１  ＰＣＣ３３０に関係する（たとえば、ＬＴＥに関係する）周期性および／または報告オフセットと同様のリソースを判断することができる。説明したように、周期性および／または報告オフセットは、図６に示す周期性および／または報告オフセットと同様であり得る。たとえば、制御リソース判断構成要素は、ＨＳＰＡデータ送信に関係する制御データを通信するための、ＬＴＥサブフレームに整合するＨＳＰＡデータ送信の終了から２．５個のスロット（１．６６ｍｓ）のタイミングを選択することができる。
【００４２】
さらに、この例では、制御リソース判断構成要素３１０は、１つまたは複数のＬＴＥコンテナでの報告を可能にするために、ＨＳＰＡ  ＣＳＩ情報のための特定のペイロードサイズおよび／またはビット幅を判断することができる。さらに、制御リソース判断構成要素３１０は、ＬＴＥ  ＣＳＩまたはＰＣＣ３３０に関係する他の送信に干渉しないように、ＨＳＰＡ  ＣＳＩ情報を送信するためのリソースを判断することができる。さらに、別の例では、制御データ通信構成要素３１２は、ＲＡＴ２制御データを送信することを控えることができる。これは、たとえば、上位通信レイヤによって指定された、ＵＥ３０２によって送信されるべき制御データ中のＲＡＴ２、ＳＣＣ３３２、ＳＣｅｌｌ３０６などを識別することと、ＲＡＴ２に関係するので制御データを処理せず、通信しないことを判断することとを含むことができる。
【００４３】
ＲＡＴ１に関係するＣＣ３３０のアップリンク部分のための電力制御は、ＰＣｅｌｌ３０４または関係するｅＮＢと、（たとえば、受信信号強度に基づいて）ＵＥ３０２のための電力を判断することと、ＣＣ３３０を介して電力制御コマンドを通信することとに少なくとも部分的に基づいて可能にされ得ることを諒解されたい。さらに、ＲＡＴ２に関係するＣＣ３３２のアップリンク部分のための電力制御は、ＳＣｅｌｌ３０６または関係するｅＮＢと、電力を判断することと、ＣＣ３３２を介して電力制御コマンドを通信することとに少なくとも部分的によって制御され得る。
【００４４】
さらに、ＬＴＥがＲＡＴ１である特定の例では、上記で説明したように、ハンドオーバ構成要素３１６は、ＬＴＥ  ＣＣ３３０に基づいて１つまたは複数のハンドオーバ関係機能を実行することを判断することができる。たとえば、ハンドオーバ構成要素３１６は、ハンドオーバのための測定報告に含めるために、ＬＴＥ  ＣＣ３３０を介して信号品質を測定することができる。別の例では、ハンドオーバ構成要素３１６は、ＰＣｅｌｌ３０４からハンドオーバ通信へのコマンドなど、ＬＴＥ  ＣＣ３３０を介してハンドオーバ関係メッセージを受信することができる。この例では、ハンドオーバ構成要素３１６は、別のセルにＰＣＣ３３０のみをハンドオーバすることを判断することができる。
【００４５】
さらに、たとえば、ランダムアクセス生成構成要素３１８は、メッセージを取得しＲＡＣＨを介してメッセージを送信するために別のＬＴＥ  ＣＣを使用して別のセルにアクセスしようと試みることができる。さらに、たとえば、ＰＣｅｌｌ３０４は、したがって、ＨＳＰＡキャリア（たとえば、ＳＣＣ３３２）とは対照的に、ＬＴＥ  ＣＣ（たとえば、ＰＣＣ３３０など）を介してＵＥ３０２のモビリティまたはＲＡＣＨ関係パケットを通信することができる。さらに、たとえば、ＰＣｅｌｌ３０４は、１次セルとして、ＰＣｅｌｌ３０４が、ＳＣｅｌｌ３０６の代わりに、モビリティおよびＲＡＣＨ関係メッセージを通信することができると判断することができる。同様に、ＳＣｅｌｌ３０６は、それがＵＥ３０２にとって２次セルであると判断することに基づいてモビリティおよびＲＡＣＨ関係メッセージを通信しないことを判断することができる。さらに別の例では、ＰＣｅｌｌ３０４は、ＬＴＥ  ＣＣ３３０を介してＰＣｅｌｌ３０４および／またはＳＣｅｌｌ３０６についてのシステム情報を通信することができ、したがって、システム情報受信構成要素３１４は、ＬＴＥ  ＣＣ３３０を介して両方のＲＡＴについてのシステム情報を取得することができる。
【００４６】
いずれの場合も、一例では、ＰＣｅｌｌ３０４は、上記で説明したように、制御データ通信構成要素３１２によって通信された制御データ３２４を受信することができ、ＳＣｅｌｌ３０６に制御データを通信することができる。ＰＣｅｌｌ３０４とＳＣｅｌｌ３０６とが、たとえば、同じｅＮＢの一部である場合、通信はそのｅＮＢ内で処理される。それらのセルが別個のｅＮＢのものである場合、それらのｅＮＢは、たとえば、ワイヤードまたはワイヤレスバックホールリンクを介して制御データを通信することができる。別の例では、ＳＣｅｌｌ３０６も、ＣＣ３３０のアップリンク部分を介して制御データ通信構成要素３１２によって送信された制御データ３２６を受信することができる。
【００４７】
図４に、ＣＡ中の複数のキャリアを割り当てるための例示的なシステム４００を示す。システム４００は、ＵＥ３０２が１つまたは複数のＣＣを介してワイヤレスネットワークアクセスを受信するために通信することができる１つまたは複数のセルを与えることができるｅＮＢ４０２を含む。たとえば、説明したように、ｅＮＢ４０２は、ＵＥ３０２が１つまたは複数のＣＣを確立することができるＰＣｅｌｌおよび／またはＳＣｅｌｌを与えることができる。ｅＮＢ４０２は、マクロノード、フェムトノード、ピコノード、モバイル基地局、リレーノード、（たとえば、ＵＥ３０２とピアツーピアまたはアドホックモードで通信する）ＵＥ、それらの一部分などであり得る。
【００４８】
ｅＮＢ４０２は、ＵＥに、１つまたは複数のセル中の１つまたは複数のＣＣを割り当てるためのキャリア割当て構成要素４０４と、１つまたは複数のＣＣに関係する制御データを取得するための制御データ受信構成要素４０６と、制御データを復号するための制御データ処理構成要素４０８とを含む。ｅＮＢ４０２は、随意に、ＣＣのうちの１つまたは複数を介してシステム情報を送信するためのシステム情報通信構成要素４１０、ＣＣのうちの１つまたは複数のハンドオーバを引き起こすためのハンドオーバ構成要素４１２、および／またはＣＣのうちの１つを介してＲＡＣＨを通告するためのランダムアクセスパラメータブロードキャスト構成要素４１４を含む。
【００４９】
一例によれば、キャリア割当て構成要素４０４は、ＵＥ３０２に１つまたは複数のＣＣを割り当てることができる。たとえば、キャリア割当て構成要素４０４は、（たとえば、説明したように、キャリア割当て３２０を介して）ＰＣｅｌｌにおいてＵＥ３０２にＰＣＣ３３０を割り当て、および／またはＳＣｅｌｌにおいて１つまたは複数のＳＣＣを割り当てることができる。別の例では、別のｅＮＢ（図示せず）は、ＵＥ３０２に１つまたは複数のＳＣＣを割り当てることができる。いずれの場合も、制御データ受信構成要素４０６は、ＰＣＣ３３０を介してＵＥからＰＣＣ３３０と１つまたは複数のＳＣＣとについての制御データ３２４を取得することができる。制御データ処理構成要素４０８は、ＰＣＣ３３０に関係するＲＡＴ（ＲＡＴ１）に基づいて制御データ３２４を復号することができるが、制御データ３２４は、別のＲＡＴ（ＲＡＴ２）であり得る１つまたは複数のＳＣＣの制御データを含むことができる。
【００５０】
説明したように、ＵＥ３０２は、ＰＣＣ３３０を介してＲＡＴ１のコンテナ、送信タイミング、周期性などを使用して１つまたは複数のＳＣＣについての制御データ３２４を通信することができる。したがって、制御データ処理構成要素４０８は、ＳＣＣ制御データを取得することができ、その制御データを（たとえば、ＳＣＣを与えるＳＣｅｌｌの通信プロパティを変更するための）ＲＡＴ２制御データとして処理することができる。別の例では、制御データ処理構成要素４０８は、ＳＣｅｌｌを与える別のｅＮＢに制御データを与えることができる。いずれの例でも、ＲＡＴ２制御データは、説明したように、ＲＡＴ１制御リソースを介して通信される。
【００５１】
さらに、一例では、システム情報通信構成要素４１０は、ＰＣＣ３３０を介してＲＡＴ１についてのシステム情報（たとえば、ＬＴＥにおけるＳＩＢ）および／またはＲＡＴ２についてのシステム情報（たとえば、ＨＳＰＡシステム情報）を通信することができる。これは、ｅＮＢ４０２がＵＥ３０２にＰＣｅｌｌを与えると判断することに基づき得る。同様に、システム情報通信構成要素４１０は、ＳＣｅｌｌ  ＣＣを介してシステム情報を通信することを控えることができ、ｅＮＢ４０２がＵＥ３０２にＳＣｅｌｌのみを与えると判断される。別の例では、ハンドオーバ構成要素４１２は、ＳＣＣをハンドオーバすることなしに、別のｅＮＢ（図示せず）へのＰＣＣ３３０のハンドオーバを実行することができる。同様に、これは、ｅＮＢ４０２がＰＣｅｌｌまたはＳＣｅｌｌを与えるか否かを判断することに基づき得る。さらに別の例では、ｅＮＢ４０２がＵＥ３０２のためにＰＣｅｌｌを動作させる場合、ランダムアクセスパラメータブロードキャスト構成要素４１４は、（たとえば、ＳＣＣではなく）ＰＣＣ３３０を介してＲＡＣＨを通告することができる。
【００５２】
図５に、ＨＳＰＡシステムとＬＴＥシステムとのための例示的な通信タイミング５００を示す。それぞれ１０ｍｓにわたることができる２つの連続する無線フレームを有する、１次制御共通物理チャネル（Ｐ−ＣＣＰＣＨ：primary control common physical channel）５０２のためのタイミングが示されている。ＨＳＰＡにおけるＨＳ−ＳＣＣＨタイミング５０４も示されており、それぞれ３つの０．６６ｍｓのＨＳＰＡスロット（２ｍｓ）にわたる、無線フレームの５つのサブフレームに分割されている。ダウンリンクチャネル割当ては、ＨＳ−ＳＣＣＨのサブフレーム０中でＵＥによって受信され得る。高速（ＨＳ：high speed）物理ダウンリンク共有チャネル（ＨＳ−ＰＤＳＣＨ：HS-physical downlink shared channel）タイミング５０６は、ＨＳ−ＳＣＣＨタイミング５０４から２つのスロット（１．３３ｍｓ）だけオフセットされ得、ダウンリンクチャネル割当てサブフレーム中に生じるサブフレームは、ｅＮＢによるＵＥへの通信のために使用され得る。さらに、図示のように、アップリンクチャネルを介して通信するための対応するＡＣＫは、ＨＳ専用物理制御チャネル（ＨＳ−ＤＰＣＣＨ：HS dedicated physical control channel）タイミング５０８によって示すように、関係するアップリンク送信の終了から７．５個のスロット（５ｍｓ）に行われる得る。
【００５３】
さらに、物理ダウンリンク制御チャネル（ＰＤＣＣＨ：physical downlink control channel）／物理ダウンリンク共有チャネル（ＰＤＳＣＨ：physical downlink shared channel）タイミング５１０が示されており、１０個の１ｍｓのサブフレームが１０ｍｓの無線フレーム中に論理的に定義されている。したがって、ＬＴＥにおけるサブフレーム０での送信のために、アップリンクＡＣＫは、ＰＤＣＣＨ／ＰＤＳＣＨタイミング５１０のサブフレーム４（３ｍｓの遅延）において行われる。いずれの場合も、ＬＴＥタイミングおよび／またはコンテナ（たとえば、チャネル）は、説明したように、ＨＳＰＡのためのアップリンクＡＣＫを通信するために使用され得る。この例では、物理アップリンク制御チャネル（ＰＵＣＣＨ）／物理アップリンク共有チャネル（ＰＵＳＣＨ）タイミング５１２は、ＨＳＰＡ制御データを通信するための１つの可能な代替とともに示されている。この例では、タイミング５０６のサブフレーム０でのＨＳ−ＰＤＳＣＨ送信のためのアップリンクＡＣＫは、ＨＳ−ＰＤＳＣＨ送信の後の８．５個のスロット（５．６６ｍｓ）である、ＬＴＥ  ＰＵＣＣＨ／ＰＵＳＣＨタイミング５１２のサブフレーム９において送信され得る。したがって、ＰＵＣＣＨ／ＰＵＳＣＨコンテナおよびタイミングを介したＨＳ−ＰＤＳＣＨ送信のためのアップリンクＡＣＫ送信は、ＨＳ−ＤＰＣＣＨタイミング５０６を介して送信される場合よりも１つのスロット（０．６６ｍｓ）後だが、依然として、ＨＳ−ＤＰＣＣＨサブフレームであろうサブフレームのタイミング中に行われる。そのようなタイミングにより、ＨＳＰＡセルは、同様のタイミングに従って制御データを受信することが可能になるが、それぞれのＵＥは、アップリンクリソースを節約するために、制御データを通信するためにＬＴＥリソースを使用し得る。
【００５４】
別の例では、ＰＵＣＣＨ／ＰＵＳＣＨタイミング５１４はＨＳＰＡ制御データを通信するための別の可能な代替とともに示されている。この例では、タイミング５０６のサブフレーム０でのＨＳ−ＰＤＳＣＨ送信のためのアップリンクＡＣＫは、ＨＳ−ＰＤＳＣＨ送信の後の７つのスロット（４．６６ｍｓ）である、ＬＴＥ  ＰＵＣＣＨ／ＰＵＳＣＨタイミング５１４のサブフレーム８において送信され得る。したがって、ＰＵＣＣＨ／ＰＵＳＣＨコンテナおよびタイミングを介したＨＳ−ＰＤＳＣＨ送信のためのアップリンクＡＣＫ送信は、ＨＳ−ＤＰＣＣＨタイミング５０６を介して送信される場合よりも０．５個のスロット（０．３３ｍｓ）前だが、依然として、ＨＳ−ＤＰＣＣＨサブフレームであろうサブフレームのタイミング中に行われる。所与の例では、ＨＳＰＡのためのアップリンクＡＣＫは、ＰＵＣＣＨ／ＰＵＳＣＨタイミング５１２を使用して奇数番号のサブフレーム中にあるか、またはＰＵＣＣＨ／ＰＵＳＣＨタイミング５１４のための偶数番号のサブフレーム中にあり得る。したがって、説明した一例では、ＵＥは、（たとえば、ＵＥの特性または他のパラメータ、ＨＳ−ＳＣＣＨ特性などに基づいて）割当てにおけるダイバーシティを可能にするために、それらの構成のいずれかに割り当てられ得る。
【００５５】
図６に、ＨＳＰＡシステムとＬＴＥシステムとのための例示的な通信タイミング６００を示す。それぞれ１０ｍｓにわたることができる２つの連続する無線フレームを有する、Ｐ−ＣＣＰＣＨ６０２のためのタイミングが示されている。ＨＳＰＡにおけるＨＳ−ＳＣＣＨタイミング６０４も示されており、それぞれ３つの０．６６ｍｓのＨＳＰＡスロット（２ｍｓ）にわたる、無線フレームの５つのサブフレームに分割されている。ダウンリンクチャネル割当ては、ＨＳ−ＳＣＣＨのサブフレーム０中でＵＥによって受信され得る。ＨＳ−ＰＤＳＣＨタイミング６０６は、ＨＳ−ＳＣＣＨタイミング６０４から２つのスロット（１．３３ｍｓ）だけオフセットされ得、ダウンリンクチャネル割当てサブフレーム中に生じるサブフレームは、ｅＮＢによるＵＥへの通信のために使用され得る。さらに、図示のように、アップリンクチャネルを介して送信するための対応するＣＳＩは、ＨＳ−ＤＰＣＣＨタイミング６０８によって示すように、関係するアップリンク送信の終了から１ｍｓに行われ得る。
【００５６】
さらに、ＰＤＣＣＨ／ＰＤＳＣＨタイミング６１０が示されており、１０個の１ｍｓのサブフレームが１０ｍｓの無線フレーム中に論理的に定義されている。したがって、ＬＴＥにおけるサブフレーム０での送信のために、ＣＳＩ送信は、ＰＤＣＣＨ／ＰＤＳＣＨタイミング６１０のサブフレーム４（３ｍｓの遅延）において行われる。いずれの場合も、ＬＴＥタイミングおよび／またはコンテナは、説明したように、ＨＳＰＡのためのＣＳＩを通信するために使用され得る。この例では、ＰＵＣＣＨ／ＰＵＳＣＨタイミング６１２はＨＳＰＡ制御データを通信するための１つの可能な代替とともに示されている。この例では、タイミング６０６のサブフレーム０でのＨＳ−ＰＤＳＣＨ送信のためのＣＳＩは、ＨＳ−ＰＤＳＣＨ送信の後の２．５個のスロット（１．６６ｍｓ）である、ＬＴＥ  ＰＵＣＣＨ／ＰＵＳＣＨタイミング６１２のサブフレーム４において送信され得る。したがって、ＰＵＣＣＨ／ＰＵＳＣＨコンテナおよびタイミングを介したＨＳ−ＰＤＳＣＨ送信のためのＣＳＩ送信は、ＨＳ−ＤＰＣＣＨサブフレームであろうサブフレームのタイミング中に行われる。そのようなタイミングにより、ＨＳＰＡセルは、同様のタイミングに従って制御データを受信することが可能になるが、それぞれのＵＥは、アップリンクリソースを節約するために、制御データを通信するためにＬＴＥリソースを使用し得る。
【００５７】
図７〜図８に、異なるＲＡＴのＣＣを用いるＣＡで制御データを通信するための例示的な方法を示す。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００５８】
図７に、別のＲＡＴのリソースを使用して１つのＲＡＴの制御データを通信するための例示的な方法７００を示す。
【００５９】
７０２において、第１のＲＡＴに対応する第１のキャリアに関係する第１のリソース割当てが受信され得る。リソース割当ては、関係するＣＣのアップリンクまたはダウンリンク部分に対応することができ、制御データを送信するためにＰＣＣとして判断され得る。たとえば、ＰＣＣは、受信したキャリアの順序、受信したキャリアのＲＡＴ、どれがＰＣＣであるかに関する、セルまたは関係するｅＮＢからの指定などに基づいて判断され得る。
【００６０】
７０４において、第２のＲＡＴに対応する第２のキャリアに関係する第２のリソース割当てが受信される。たとえば、第２のリソース割当ては、同様に、関係するＣＣのアップリンクまたはダウンリンク部分に対応することができ、ＳＣＣとして判断され得る。第１のキャリアと第２のキャリアとは、説明したように、ＣＡを与えるために同時に利用され得る。さらに、第１のＲＡＴと第２のＲＡＴとは、異なるＲＡＴ（たとえば、ＬＴＥとＨＳＰＡと）であり得る。
【００６１】
７０６において、第１のリソース割当てに部分的に基づいて、アップリンクキャリアを介して第１のＲＡＴについての第１のＲＡＴ制御データを通信するためのリソースが判断され得る。一例では、リソース割当ては、アップリンクキャリアのためのリソースを明示的に示すことができる。別の例では、アップリンクキャリアリソースは、リソース割当ての対応するダウンリンクキャリアからのオフセットなどに判断される。いずれの場合も、アップリンクキャリアは、一般に、第１のＲＡＴ中で制御データまたは他のアップリンクデータを通信するために使用され得、制御データは、第１のキャリアのダウンリンク部分に対応する。
【００６２】
７０８において、リソースの少なくとも一部分を介して、第１のＲＡＴの制御データのためのコンテナ中で第２のＲＡＴに関係する第２のＲＡＴ制御データも通信され得る。説明したように、これは、第２のＲＡＴの制御データを通信するために、第１のＲＡＴのチャネル（たとえば、ＬＴＥではＰＵＣＣＨ）を利用することを含むことができる。別の例では、これは、第２のＲＡＴ制御データを通信するために第１のＲＡＴに固有のタイミングを利用することを含むことができ、タイミングは、第２のＲＡＴのタイミングと同様であるか、またはそれに近くなるように選択され得る。制御データは、第１のＲＡＴに関係するアップリンクキャリアを介して受信され、処理されるか、またはさもなければ第２のＲＡＴに関係するセルに与えられ得る。制御データはＡＣＫ、ＣＳＩなどを含むことができる。
【００６３】
さらに、いくつかの例では、複数のＲＡＴ  ＣＡの複雑さを最小限に抑えるために、システム情報が第１のキャリアを介して通信されること、第２のキャリアではなく第１のキャリアに対してハンドオーバが行われること、ＲＡＣＨが第１のキャリアを介して通告されることなどがあり得る。
【００６４】
図８に、別のＲＡＴに関係するリソースを介して１つのＲＡＴについての制御データを取得するための例示的な方法８００を示す。
【００６５】
８０２において、ＵＥに、第１のＲＡＴの第１のキャリアに関係するリソースの第１のセットが割り当てられ得る。説明したように、これは、（たとえば、明示的リソース割当て、ダウンリンク部分への知られている関連付けなどによって）第１のキャリアのダウンリンク部分および／またはアップリンク部分を割り当てることを含むことができる。
【００６６】
８０４において、ＵＥに、第２のＲＡＴの第２のキャリアに関係するリソースの第２のセットが割り当てられ得る。第１のキャリアと第２のキャリアとは、改善されたサービスを同時に提供するために、異なるＲＡＴを介してＣＡを使用して動作することができる。
【００６７】
８０６において、第１のＲＡＴの制御データを通信するために割り当てられたアップリンクキャリアのリソースを介して、第１のＲＡＴの制御データのためのコンテナ中でリソースの第２のセットについての制御データが受信され得る。説明したように、これは、第１のＲＡＴによって使用されるタイミングに基づいて、第１のＲＡＴの制御チャネルを介して第２のＲＡＴについての制御データを受信することなどを含むことができる。制御データはＡＣＫ、ＣＳＩなどを含むことができる。
【００６８】
図９は、ＣＡで制御データを通信することを可能にするモバイルデバイス９００の図である。モバイルデバイス９００は、たとえば受信アンテナ（図示せず）から信号を受信し、受信信号に対して典型的な動作（たとえば、フィルタ処理、増幅、ダウンコンバートなど）を行い、サンプルを得るために調整された信号をデジタル化する受信機９０２を含み得る。受信機９０２は、受信したシンボルを復調し、それらをチャネル推定のためにプロセッサ９０６に与えることができる復調器９０４を含むことができる。プロセッサ９０６は、受信機９０２によって受信された情報の分析および／または送信機９０８による送信のための情報の生成に専用のプロセッサ、モバイルデバイス９００の１つまたは複数の構成要素を制御するプロセッサ、ならびに／あるいは受信機９０２によって受信された情報の分析、送信機９０８による送信のための情報の生成、およびモバイルデバイス９００の１つまたは複数の構成要素の制御を行うプロセッサであり得る。
【００６９】
モバイルデバイス９００は、さらに、メモリ９１０を含むことができ、メモリ９１０は、プロセッサ９０６に動作可能に結合され、送信すべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ９１０は、さらに（たとえばパフォーマンスベース、容量ベースなどの）チャネルの推定および／または利用に関連するプロトコルおよび／またはアルゴリズムを記憶することができる。
【００７０】
本明細書で説明するデータストア（たとえば、メモリ９１０）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。主題のシステムおよび方法のメモリ９１０は、これらおよび他の適切なタイプのメモリを、それらに限定されることなく、含むものとする。
【００７１】
プロセッサ９０６は、さらに随意に、キャリア割当て受信構成要素３０８と同様であり得るキャリア割当て受信構成要素９１２、制御リソース判断構成要素３１０と同様であり得る制御リソース判断構成要素９１４、システム情報受信構成要素３１４と同様であり得るシステム情報受信構成要素９１６、ハンドオーバ構成要素３１６と同様であり得るハンドオーバ構成要素９１８、および／またはランダムアクセス生成構成要素３１８と同様であり得るランダムアクセス生成構成要素９２０に動作可能に結合され得る。モバイルデバイス９００は、またさらに、たとえば、基地局、別のモバイルデバイスなどへの送信機９０８による送信のための信号を変調する変調器９２２を含む。たとえば、送信機９０８は、説明したように、制御データ通信構成要素３１２と同様であるか、またはそれを備えることができる。その上、たとえば、モバイルデバイス９００は、説明したように、複数のネットワークインターフェースのための複数の送信機９０８を含むことができる。プロセッサ９０６とは別個のものとして図示されているが、キャリア割当て受信構成要素９１２、制御リソース判断構成要素９１４、システム情報受信構成要素９１６、ハンドオーバ構成要素９１８、ランダムアクセス生成構成要素９２０、復調器９０４、および／または変調器９２２は、プロセッサ９０６または複数のプロセッサ（図示せず）の一部であり得、ならびに／あるいはプロセッサ９０６が実行するためのメモリ９１０中の命令として記憶され得ることを諒解されたい。
【００７２】
図１０は、単一のＣＣを介して複数のＲＡＴについての制御データを受信することを可能にするシステム１０００の図である。システム１０００は、（たとえば、複数のネットワーク技術であり得る）複数の受信アンテナ１００６を介して１つまたは複数のモバイルデバイスまたはｅＮＢ１００４から（１つまたは複数の）信号を受信する受信機１０１０を有するｅＮＢ１００２と、（たとえば、複数のネットワーク技術であり得る）複数の送信アンテナ１００８を介して１つまたは複数のモバイルデバイスまたはｅＮＢ１００４に送信する送信機１０４２とを含む。たとえば、ｅＮＢ１００２は、ｅＮＢ１００４から受信された信号を他のｅＮＢ１００４に送信することができ、および／またはその逆も同様である。
【００７３】
受信機１０１０は、１つまたは複数の受信アンテナ１００６から情報を受信することができ、受信された情報を復調する復調器１０１２と動作可能に結合される。さらに、一例では、受信機１０１０は、ワイヤードバックホールリンクから受信することができる。別個のアンテナとして示してあるが、受信アンテナ１００６のうちの少なくとも１つと、送信アンテナ１００８のうちの対応する１つとは、同じアンテナとして組み合わされ得ることを諒解されたい。さらに、受信機１０１０は、上記で説明したように、制御データ受信構成要素４０６であるか、またはさもなければそれを含むことができる。本明細書で説明する１つまたは複数の態様を実行することに関係する情報を記憶するメモリ１０１６に結合されたプロセッサ１０１４によって、復調シンボルが分析される。
【００７４】
プロセッサ１０１４は、たとえば、受信機１０１０によって受信された情報の分析および／または送信機１０４２による送信のための情報の生成に専用のプロセッサ、ｅＮＢ１００２の１つまたは複数の構成要素を制御するプロセッサ、および／または受信機１０１０によって受信された情報を分析し、送信機１０４２による送信のための情報を生成し、ｅＮＢ１００２の１つまたは複数の構成要素を制御するプロセッサであり得る。さらに、プロセッサ１０１４は、本明細書で説明する１つまたは複数の機能を実行することができ、および／またはそのような目的のための構成要素と通信することができる。さらに、プロセッサ１０１４は、図９のプロセッサ９０６と同様であり得、メモリ１０１６は、図９のメモリ９１０と同様であり得る。
【００７５】
プロセッサ１０１４は、さらに随意に、キャリア割当て構成要素４０４と同様であり得るキャリア割当て構成要素１０１８、制御データ処理構成要素４０８と同様であり得る制御データ処理構成要素１０２０、システム情報通信構成要素４１０と同様であり得るシステム情報通信構成要素１０２２、ハンドオーバ構成要素４１２と同様であり得るハンドオーバ構成要素１０２４、および／またはランダムアクセスパラメータブロードキャスト構成要素４１４と同様であり得るランダムアクセスパラメータブロードキャスト構成要素１０２６に結合される。送信機１０４２は、Ｔｘアンテナ１００８を介して信号をモバイルデバイスまたはｅＮＢ１００４に送信することができる。さらに、プロセッサ１０１４とは別個のものとして図示されているが、キャリア割当て構成要素１０１８、制御データ処理構成要素１０２０、システム情報通信構成要素１０２２、ハンドオーバ構成要素１０２４、ランダムアクセスパラメータブロードキャスト構成要素１０２６、復調器１０１２、および／または変調器１０４０は、プロセッサ１０１４または複数のプロセッサ（図示せず）の一部であり得、ならびに／あるいはプロセッサ１０１４が実行するためのメモリ１０１６中の命令として記憶され得ることを諒解されたい。
【００７６】
本明細書の様々な態様については、マルチキャリア構成に関して説明される。連続ＣＡと非連続ＣＡとを含むＬＴＥ−Ａｄｖａｎｃｅｄモバイルシステムのためのマルチキャリア構成のいくつかの例が提案され、それらの例が図１１に示される。１１００に連続ＣＡが示されており、連続ＣＡは、複数の利用可能なコンポーネントキャリア１１０４、１１０６、および１１０８が周波数において互いに隣接するように割り当てられているときに生じる。１１０２に示されている非連続ＣＡでは、コンポーネントキャリア１１１０、１１１２、および１１１４は、それらが周波数において隣接しないように割り当てられ得る。非連続ＣＡと連続ＣＡはどちらも、たとえば、単一のＬＴＥ−Ａｄｖａｎｃｅｄ  ＵＥをサービスするために、複数のＬＴＥ／コンポーネントキャリアをアグリゲートする。
【００７７】
キャリアが周波数帯域に沿って分離されるので、ＬＴＥ−Ａｄｖａｎｃｅｄ  ＵＥは、非連続ＣＡとともに、複数の無線周波（ＲＦ）受信ユニットと複数の高速フーリエ変換とを採用することができる。連続ＣＡが使用される場合、１つのＲＦ受信構成要素とＦＦＴとは、すべてのキャリアを介して受信するのに十分であり得る。非連続ＣＡが、大きい周波数範囲にわたる複数の分離したキャリアを介したデータ送信をサポートするので、伝搬経路損失、ドップラーシフトおよび他の無線チャネル特性は、異なる周波数帯域において変動し得る。
【００７８】
したがって、非連続ＣＡ手法の下でブロードバンドデータ送信をサポートするために、異なるコンポーネントキャリアのためのコーディング、変調、および送信電力を適応的に調整するための方法が使用され得る。たとえば、ｅＮＢが各コンポーネントキャリア上に固定送信電力を有するＬＴＥ−Ａｄｖａｎｃｅｄシステムでは、各コンポーネントキャリアの有効カバレージまたはサポート可能な変調およびコーディングは異なり得る。いずれの場合も、説明したように、キャリア１１０４、１１０６、および１１０８またはキャリア１１１０、１１１２、および１１１４は、複数のｅＮＢまたは関係するセルによって割り当てられ得、ＬＴＥ−Ａｄｖａｎｃｅｄ  ＵＥは、測位サーバに各々のセル識別子を報告することができる。
【００７９】
図１２に、Ｉｎｔｅｒｎａｔｉｏｎａｌ  Ｍｏｂｉｌｅ  Ｔｅｌｅｃｏｍｍｕｎｉｃａｔｉｏｎｓ（ＩＭＴ）−Ａｄｖａｎｃｅｄシステムまたは同様のシステムのための媒体アクセス制御（ＭＡＣ）レイヤにおいて異なるコンポーネントキャリア１２０２、１２０４、および１２０６からの送信ブロック（ＴＢ：transmission block）をアグリゲートする例示的なデータアグリゲーション１２００を示す。ＭＡＣレイヤデータアグリゲーションでは、各コンポーネントキャリア１２０２、１２０４、および１２０６は、ＭＡＣレイヤ中にそれ自体の独立したハイブリッド自動再送要求（ＨＡＲＱ）エンティティ１２０８、１２１０、および１２１２を有し、物理レイヤ中にそれ自体の送信構成パラメータ（たとえば、送信電力、変調およびコーディング方式、ならびに複数のアンテナ構成）を有する。同様に、物理レイヤ中で、１つのＨＡＲＱエンティティ１２１４、１２１６、および１２１８が各コンポーネントキャリアに与えられ得る。
【００８０】
概して、複数のコンポーネントキャリアのための制御チャネルシグナリングを展開するための３つの異なる手法がある。第１は、ＬＴＥシステムにおける制御構造の軽微な変更を伴い、各コンポーネントキャリアは、それ自体のコード化制御チャネルを与えられる。
【００８１】
第２方法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルでは、シグナリングコンテンツとして統合され得る。その結果、ＬＴＥシステムにおいて制御チャネル構造との後方互換性が維持されるとともに、ＣＡでのシグナリングオーバーヘッドが低減される。
【００８２】
異なるコンポーネントキャリアのための複数の制御チャネルは、ジョイントコーディングされ、次いで、第３のＣＡ方法によって形成される全周波数帯域を介して送信される。この手法は、ＵＥ側における高い電力消費量という犠牲を払って、制御チャネルにおける低いシグナリングオーバーヘッドと高い復号性能とを提供する。しかしながら、この方法は、いくつかのＬＴＥシステムに適合しないことがある。
【００８３】
さらに、たとえば、ＣＡでは、少なくとも２つのキャリアからの制御機能が１つのキャリア上にアグリゲートされて、ＰＣＣと１つまたは複数の関連するＳＣＣとを形成し得る。ＰＣＣと各ＳＣＣとのために１つまたは複数のセルまたは関係するｅＮＢと通信リンクが確立され得る。次いで、通信は、マルチキャリア構成の一例では、ＰＣＣに基づいて制御され得る。
【００８４】
図１３は、ＬＴＥネットワークアーキテクチャ１３００を示す図である。ＬＴＥネットワークアーキテクチャ１３００は発展型パケットシステム（ＥＰＳ：Evolved Packet System）１３００と呼ばれることがある。ＥＰＳ１３００は、１つまたは複数のユーザ機器（ＵＥ）１３０２と、発展型ＵＭＴＳ地上波無線アクセスネットワーク（Ｅ−ＵＴＲＡＮ：Evolved UMTS Terrestrial Radio Access Network）１３０４と、発展型パケットコア（ＥＰＣ：Evolved Packet Core）１３１０と、ホーム加入者サーバ（ＨＳＳ：Home Subscriber Server）１３２０と、オペレータのＩＰサービス１３２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００８５】
Ｅ−ＵＴＲＡＮは、発展型ノードＢ（ｅＮＢ）１３０６と他のｅＮＢ１３０８とを含む。ｅＮＢ１３０６は、ＵＥ１３０２に対してユーザプレーンプロトコル終端（termination）と制御プレーンプロトコル終端とを与える。ｅＮＢ１３０６は、Ｘ２インターフェース（たとえば、バックホール）を介して他のｅＮＢ１３０８に接続され得る。ｅＮＢ１３０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１３０６は、ＵＥ１３０２にＥＰＣ１３１０へのアクセスポイントを与える。ＵＥ１３０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１３０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００８６】
ｅＮＢ１３０６はＳ１インターフェースによってＥＰＣ１３１０に接続される。ＥＰＣ１３１０は、モビリティ管理エンティティ（ＭＭＥ：Mobility Management Entity）１３１２と、他のＭＭＥ１３１４と、サービングゲートウェイ１３１６と、パケットデータネットワーク（ＰＤＮ：Packet Data Network）ゲートウェイ１３１８とを含む。ＭＭＥ１３１２は、ＵＥ１３０２とＥＰＣ１３１０との間のシグナリングを処理する制御ノードである。概して、ＭＭＥ１３１２はベアラおよび接続管理を提供する。すべてのユーザＩＰパケットはサービングゲートウェイ１３１６を通して転送され、サービングゲートウェイ１３１６自体はＰＤＮゲートウェイ１３１８に接続される。ＰＤＮゲートウェイ１３１８はＵＥのＩＰアドレス割振りならびに他の機能を与える。ＰＤＮゲートウェイ１３１８はオペレータのＩＰサービス１３２２に接続される。オペレータのＩＰサービス１３２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００８７】
図１４は、ＬＴＥネットワークアーキテクチャにおけるアクセスネットワーク１４００の一例を示す図である。この例では、アクセスネットワーク１４００は、いくつかのセルラー領域（セル）１４０２に分割される。１つまたは複数のより低い電力クラスのｅＮＢ１４０８は、セル１４０２のうちの１つまたは複数と重複するセルラー領域１４１０を有し得る。より低い電力クラスのｅＮＢ１４０８は、リモートラジオヘッド（ＲＲＨ：remote radio head）と呼ばれることがある。より低い電力クラスのｅＮＢ１４０８は、フェムトセル（たとえば、ホームｅＮＢ（ＨｅＮＢ））、ピコセル、またはマイクロセルであり得る。マクロｅＮＢ１４０４は各々、それぞれのセル１４０２に割り当てられ、セル１４０２中のすべてのＵＥ１４０６にＥＰＣ１３１０へのアクセスポイントを与えるように構成される。アクセスネットワーク１４００のこの例には集中コントローラはないが、代替構成では集中コントローラが使用され得る。ｅＮＢ１４０４は、無線ベアラ制御、承認制御、モビリティ制御、スケジューリング、セキュリティ、およびサービングゲートウェイ１３１６への接続性を含む、すべての無線関係機能を担当する。
【００８８】
アクセスネットワーク１４００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）（登録商標）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００８９】
ｅＮＢ１４０４は、ＭＩＭＯ技術をサポートする複数のアンテナを有し得る。ＭＩＭＯ技術の使用により、ｅＮＢ１４０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ１４０６に送信されるか、または全体的なシステム容量を増加させるために複数のＵＥ１４０６に送信され得る。これは、各データストリームを空間的にプリコードし（たとえば、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ１４０６に到着し、これにより、（１つまたは複数の）ＵＥ１４０６の各々がそのＵＥ１４０６に宛てられた１つまたは複数のデータストリームを復元することが可能になる。ＵＬ上で、各ＵＥ１４０６は、空間的にプリコードされたデータストリームを送信し、これにより、ｅＮＢ１４０４は、空間的にプリコードされた各データストリームのソースを識別することが可能になる。
【００９０】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００９１】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間（spacing）は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００９２】
図１５は、ＬＴＥにおけるＤＬフレーム構造の一例を示す図１５００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ１５０２、１５０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）１５０２と、（復調基準信号（ＤＭ−ＲＳ：demodulation reference signal）としても知られる）ＵＥ固有ＲＳ（ＵＥ−ＲＳ：UE-specific RS）１５０４とを含む。ＵＥ−ＲＳ１５０４は、対応する物理ＤＬ共有チャネル（ＰＤＳＣＨ）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００９３】
図１６は、ＬＴＥにおけるＵＬフレーム構造の一例を示す図１６００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００９４】
ＵＥは、ｅＮＢに制御情報を送信するために制御セクション中のリソースブロック１６１０ａ、１６１０ｂに割り当てられ得る。ＵＥはまた、ｅＮＢにデータを送信するためにデータセクション中のリソースブロック１６２０ａ、１６２０ｂに割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００９５】
初期システムアクセスを実行し、物理ランダムアクセスチャネル（ＰＲＡＣＨ：physical random access channel）１６３０中でＵＬ同期を達成するためにリソースブロックのセットが使用され得る。ＰＲＡＣＨ１６３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００９６】
図１７は、ＬＴＥにおけるユーザプレーンおよび制御プレーンのための無線プロトコルアーキテクチャの一例を示す図１７００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ１７０６と呼ぶ。レイヤ２（Ｌ２レイヤ）１７０８は、物理レイヤ１７０６の上にあり、物理レイヤ１７０６を介したＵＥとｅＮＢとの間のリンクを担当する。
【００９７】
ユーザプレーンでは、Ｌ２レイヤ１７０８は、ネットワーク側のｅＮＢにおいて終端される、媒体アクセス制御（ＭＡＣ：media access control）サブレイヤ１７１０と、無線リンク制御（ＲＬＣ：radio link control）サブレイヤ１７１２と、パケットデータコンバージェンスプロトコル（ＰＤＣＰ：packet data convergence protocol）１７１４サブレイヤとを含む。図示されていないが、ＵＥは、ネットワーク側のＰＤＮゲートウェイ１３１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ１７０８の上にいくつかの上位レイヤを有し得る。
【００９８】
ＰＤＣＰサブレイヤ１７１４は、異なる無線ベアラと論理チャネルとの間で多重化を行う。ＰＤＣＰサブレイヤ１７１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ１７１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを提供する。ＭＡＣサブレイヤ１７１０は、論理チャネルとトランスポートチャネルとの間の多重化を提供する。ＭＡＣサブレイヤ１７１０はまた、ＵＥの間で１つのセル内の様々な無線リソース（たとえば、リソースブロック）を割り振ることを担当する。ＭＡＣサブレイヤ１７１０はまたＨＡＲＱ動作を担当する。
【００９９】
制御プレーンでは、ＵＥおよびｅＮＢのための無線プロトコルアーキテクチャは、制御プレーンのためのヘッダ圧縮機能がないことを除いて、物理レイヤ１７０６およびＬ２レイヤ１７０８について実質的に同じである。制御プレーンはまた、レイヤ３（Ｌ３レイヤ）中に無線リソース制御（ＲＲＣ：radio resource control）サブレイヤ１７１６を含む。ＲＲＣサブレイヤ１７１６は、無線リソース（たとえば、無線ベアラ）を取得することと、ｅＮＢとＵＥとの間のＲＲＣシグナリングを使用して下位レイヤを構成することとを担当する。
【０１００】
図１８は、アクセスネットワーク中でＵＥ１８５０と通信しているｅＮＢ１８１０のブロック図である。ＤＬでは、コアネットワークからの上位レイヤパケットが、コントローラ／プロセッサ１８７５に与えられる。コントローラ／プロセッサ１８７５は、Ｌ２レイヤの機能を実装する。ＤＬでは、コントローラ／プロセッサ１８７５は、様々な優先度メトリックに基づいてヘッダ圧縮と、暗号化と、パケットのセグメント化および並べ替えと、論理チャネルとトランスポートチャネルとの間の多重化と、ＵＥ１８５０への無線リソース割振りとを提供する。コントローラ／プロセッサ１８７５はまた、ＨＡＲＱ動作と、紛失パケットの再送信と、ＵＥ１８５０へのシグナリングとを担当する。
【０１０１】
送信（ＴＸ）プロセッサ１８１６は、Ｌ１レイヤ（たとえば、物理レイヤ）のための様々な信号処理機能を実装する。信号処理機能は、ＵＥ１８５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器１８７４からのチャネル推定値は、符号化および変調方式を判断するために、ならびに空間処理のために使用され得る。チャネル推定値は、ＵＥ１８５０によって送信される基準信号および／またはチャネル状態フィードバックから導出され得る。次いで、各空間ストリームは、別個の送信機１８１８ＴＸを介して異なるアンテナ１８２０に与えられる。各送信機１８１８ＴＸは、送信のためにそれぞれの空間ストリームでＲＦキャリアを変調する。
【０１０２】
ＵＥ１８５０において、各受信機１８５４ＲＸは、それのそれぞれのアンテナ１８５２を通して信号を受信する。各受信機１８５４ＲＸは、ＲＦキャリア上に変調された情報を復元し、受信（ＲＸ）プロセッサ１８５６に情報を与える。ＲＸプロセッサ１８５６はＬ１レイヤの様々な信号処理機能を実装する。ＲＸプロセッサ１８５６は、ＵＥ１８５０に宛てられた任意の空間ストリームを復元するために、情報に対して空間処理を実行する。複数の空間ストリームがＵＥ１８５０に宛てられた場合、それらはＲＸプロセッサ１８５６によって単一のＯＦＤＭシンボルストリームに合成され得る。ＲＸプロセッサ１８５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ１８１０によって送信される、可能性が最も高い信号のコンスタレーションポイントを判断することによって復元され、復調される。これらの軟判定は、チャネル推定器１８５８によって計算されるチャネル推定値に基づき得る。軟判定は、次いで、物理チャネル上でｅＮＢ１８１０によって最初に送信されたデータおよび制御信号を復元するために復号され、デインターリーブされる。データおよび制御信号は、次いでコントローラ／プロセッサ１８５９に与えられる。
【０１０３】
コントローラ／プロセッサ１８５９はＬ２レイヤを実装する。コントローラ／プロセッサは、プログラムコードとデータとを記憶するメモリ１８６０に関連し得る。メモリ１８６０は、コンピュータ可読媒体と呼ばれることがある。ＵＬでは、コントローラ／プロセッサ１８５９は、コアネットワークからの上位レイヤパケットを復元するために、トランスポートチャネルと論理チャネルとの間での多重分離（demultiplexing）と、パケット再統合（packet reassembly）と、復号（deciphering）と、ヘッダの復元（header decompression）と、制御信号処理とを提供する。上位レイヤパケットは、次いで、Ｌ２レイヤの上のすべてのプロトコルレイヤを表すデータシンク１８６２に与えられる。また、様々な制御信号がＬ３処理のためにデータシンク１８６２に与えられ得る。コントローラ／プロセッサ１８５９はまた、ＨＡＲＱ動作をサポートするために肯定応答（ＡＣＫ）および／または否定応答（ＮＡＣＫ）プロトコルを使用した誤り検出を担当する。
【０１０４】
ＵＬでは、データソース１８６７は、コントローラ／プロセッサ１８５９に上位レイヤパケットを与えるために使用される。データソース１８６７は、Ｌ２レイヤの上のすべてのプロトコルレイヤを表す。ｅＮＢ１８１０によるＤＬ送信に関して説明した機能と同様に、コントローラ／プロセッサ１８５９は、ヘッダ圧縮と、暗号化と、パケットのセグメント化および並べ替えと、ｅＮＢ１８１０による無線リソース割振りに基づいた論理チャネルとトランスポートチャネルとの間の多重化とを提供することによって、ユーザプレーンおよび制御プレーンのためのＬ２レイヤを実装する。コントローラ／プロセッサ１８５９はまた、ＨＡＲＱ動作、紛失パケットの再送信、およびｅＮＢ１８１０へのシグナリングを担当する。
【０１０５】
ｅＮＢ１８１０によって送信される基準信号またはフィードバックからの、チャネル推定器１８５８によって導出されるチャネル推定値は、適切な符号化および変調方式を選択することと、空間処理を可能にすることとを行うために、ＴＸプロセッサ１８６８によって使用され得る。ＴＸプロセッサ１８６８によって生成される空間ストリームは、別個の送信機１８５４ＴＸを介して異なるアンテナ１８５２に与えられる。各送信機１８５４ＴＸは、送信のためにそれぞれの空間ストリームでＲＦキャリアを変調する。
【０１０６】
ＵＬ送信は、ＵＥ１８５０における受信機機能に関して説明した方法と同様の方法でｅＮＢ１８１０において処理される。各受信機１８１８ＲＸは、それのそれぞれのアンテナ１８２０を通して信号を受信する。各受信機１８１８ＲＸは、ＲＦキャリア上で変調された情報を復元し、ＲＸプロセッサ１８７０に情報を与える。ＲＸプロセッサ１８７０はＬ１レイヤを実装し得る。
【０１０７】
コントローラ／プロセッサ１８７５はＬ２レイヤを実装する。コントローラ／プロセッサ１８７５は、プログラムコードとデータとを記憶するメモリ１８７６に関連し得る。メモリ１８７６は、コンピュータ可読媒体と呼ばれることがある。ＵＬでは、コントローラ／プロセッサ１８７５は、ＵＥ１８５０からの上位レイヤパケットを復元するために、トランスポートチャネルと論理チャネルとの間の多重分離と、パケット再統合と、復号と、ヘッダの復元と、制御信号処理とを提供する。コントローラ／プロセッサ１８７５からの上位レイヤパケットはコアネットワークに与えられ得る。コントローラ／プロセッサ１８７５はまた、ＨＡＲＱ動作をサポートするためにＡＣＫおよび／またはＮＡＣＫプロトコルを使用した誤り検出を担当する。
【０１０８】
本明細書で開示する実施形態に関して説明した様々な例示的な論議、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１０９】
１つまたは複数の態様では、説明した機能、方法、またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１０】
上記の開示は、例示的な態様および／または実施形態について論じたが、添付の特許請求の範囲によって定義された説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］第１の無線アクセス技術（ＲＡＴ）に対応する第１のキャリアに関係する第１のリソース割当てを受信することと、
第２のＲＡＴに対応する第２のキャリアに関係する第２のリソース割当てを受信することであって、前記第１のキャリアと前記第２のキャリアとが、ワイヤレスネットワークにおいてデータを通信するためにアグリゲートされる、受信することと、
前記第１のリソース割当てに少なくとも部分的に基づいて、アップリンクキャリアを介して前記第１のＲＡＴについての第１のＲＡＴ制御データを通信するためのリソースを判断することと、
前記リソースの少なくとも一部分を介して、前記第１のＲＡＴの制御データのためのコンテナ中で第２のＲＡＴ制御データを通信することと
を備える、キャリアアグリゲーション構成において制御情報を通信するための方法。
［Ｃ２］前記第２のＲＡＴによって定義される第２の処理タイミングとは異なる第１の処理タイミングを判断することをさらに備え、前記第１の処理タイミングが、前記リソースの前記一部分を介して前記第２のＲＡＴ制御データを通信するためのものであり、前記通信することが前記第１の処理タイミングに基づく、［Ｃ１］に記載の方法。
［Ｃ３］前記第１の処理タイミングを前記判断することが、前記第２のＲＡＴのチャネルに関係するチャネル特性に少なくとも部分的に基づいて複数の処理タイミングから前記第１の処理タイミングを選択することを備える、［Ｃ２］に記載の方法。
［Ｃ４］前記第１のＲＡＴがロングタームエボリューションを備え、前記第２のＲＡＴが高速パケットアクセスを備え、前記第１の処理タイミングが、前記第１のＲＡＴの７つのスロットまたは８．５個のスロットのいずれかになるように選択される、［Ｃ３］に記載の方法。
［Ｃ５］前記第１のＲＡＴの第１のＲＡＴ処理タイミングと前記第２のＲＡＴの前記第２の処理タイミングとの間の固定タイミングオフセットとして前記第１の処理タイミングを判断することをさらに備える、［Ｃ２］に記載の方法。
［Ｃ６］前記第１のＲＡＴがロングタームエボリューションを備え、前記第２のＲＡＴが高速パケットアクセスを備え、前記第１の処理タイミングが３ミリ秒である、［Ｃ２］に記載の方法。
［Ｃ７］前記第２のＲＡＴ制御データを前記通信することが、前記第１のＲＡＴに関係する周期性と報告オフセットとを使用して前記リソースを介して通信することをさらに備える、［Ｃ２］に記載の方法。
［Ｃ８］前記第１のＲＡＴがロングタームエボリューションを備え、前記第１のキャリアがダウンリンクキャリアである、［Ｃ１］に記載の方法。
［Ｃ９］前記第１のキャリアを介して前記第１のＲＡＴと前記第２のＲＡＴとについてのシステム情報を受信することをさらに備える、［Ｃ８］に記載の方法。
［Ｃ１０］前記第１のキャリアに少なくとも部分的に基づいて１つまたは複数の発展型ノードＢへのハンドオーバを実行することをさらに備える、［Ｃ８］に記載の方法。
［Ｃ１１］前記ハンドオーバを前記実行することが、前記第１のキャリアを介してハンドオーバ情報を受信することを備える、［Ｃ１０］に記載の方法。
［Ｃ１２］前記ハンドオーバを前記実行することが、前記第１のキャリアを介してチャネル品質を測定することを備える、［Ｃ１０］に記載の方法。
［Ｃ１３］前記第１のキャリアに対応する前記アップリンクキャリアを使用して、前記第１のＲＡＴのランダムアクセスチャネルを介してアクセスを要求することをさらに備える、［Ｃ１０］に記載の方法。
［Ｃ１４］第１の無線アクセス技術（ＲＡＴ）に対応する第１のキャリアに関係する第１のリソース割当てを受信し、第２のＲＡＴに対応する第２のキャリアに関係する第２のリソース割当てを受信するための手段であって、前記第１のキャリアと前記第２のキャリアとが、ワイヤレスネットワークにおいてデータを通信するためにアグリゲートされる、受信するための手段と、
前記第１のリソース割当てに少なくとも部分的に基づいて、アップリンクキャリアを介して前記第１のＲＡＴについての第１のＲＡＴ制御データを通信するためのリソースを判断するための手段と、
前記リソースの少なくとも一部分を介して、前記第１のＲＡＴの制御データのためのコンテナ中で第２のＲＡＴ制御データを通信するための手段と
を備える、キャリアアグリゲーション構成において制御情報を通信するための装置。
［Ｃ１５］判断するための前記手段が、前記第２のＲＡＴによって定義される第２の処理タイミングとは異なる第１の処理タイミングを判断し、前記第１の処理タイミングが、前記リソースの前記一部分を介して前記第２のＲＡＴ制御データを通信するためのものであり、通信するための前記手段が、前記第１の処理タイミングに基づいて前記第２のＲＡＴ制御データを通信する、［Ｃ１４］に記載の装置。
［Ｃ１６］判断するための前記手段が、前記第２のＲＡＴのチャネルに関係するチャネル特性に少なくとも部分的に基づいて複数の処理タイミングから前記第１の処理タイミングを選択することに部分的によって前記第１の処理タイミングを判断する、［Ｃ１５］に記載の装置。
［Ｃ１７］判断するための前記手段が、前記第１のＲＡＴの第１のＲＡＴ処理タイミングと前記第２のＲＡＴの前記第２の処理タイミングとの間の固定タイミングオフセットとして前記第１の処理タイミングを判断する、［Ｃ１５］に記載の装置。
［Ｃ１８］前記第１のＲＡＴがロングタームエボリューションを備え、前記第１のキャリアがダウンリンクキャリアである、［Ｃ１４］に記載の装置。
［Ｃ１９］前記第１のキャリアに少なくとも部分的に基づいて１つまたは複数の発展型ノードＢへのハンドオーバを実行するための手段をさらに備える、［Ｃ１８］に記載の装置。
［Ｃ２０］前記第１のキャリアを介して前記第１のＲＡＴと前記第２のＲＡＴとについてのシステム情報を受信するための手段をさらに備え、前記ハンドオーバを前記実行することが、前記第１のキャリアを介してハンドオーバ情報を受信すること、またはチャネル品質を測定することを備える、［Ｃ１９］に記載の装置。
［Ｃ２１］前記第１のキャリアに対応する前記アップリンクキャリアを使用して、前記第１のＲＡＴのランダムアクセスチャネルを介してサービスを要求するための手段をさらに備える、［Ｃ１８］に記載の装置。
［Ｃ２２］少なくとも１つのコンピュータに、第１の無線アクセス技術（ＲＡＴ）に対応する第１のキャリアに関係する第１のリソース割当てを受信させるためのコードと、
前記少なくとも１つのコンピュータに、第２のＲＡＴに対応する第２のキャリアに関係する第２のリソース割当てを受信させるためのコードであって、前記第１のキャリアと前記第２のキャリアとが、ワイヤレスネットワークにおいてデータを通信するためにアグリゲートされる、受信させるためのコードと、
前記少なくとも１つのコンピュータに、前記第１のリソース割当てに少なくとも部分的に基づいて、アップリンクキャリアを介して前記第１のＲＡＴについての第１のＲＡＴ制御データを通信するためのリソースを判断させるためのコードと、
前記少なくとも１つのコンピュータに、前記リソースの少なくとも一部分を介して、前記第１のＲＡＴの制御データのためのコンテナ中で第２のＲＡＴ制御データを通信させるためのコードと
を備えるコンピュータ可読媒体
を備える、キャリアアグリゲーション構成において制御情報を通信するためのコンピュータプログラム製品。
［Ｃ２３］前記コンピュータ可読媒体が、前記少なくとも１つのコンピュータに、前記第２のＲＡＴによって定義される第２の処理タイミングとは異なる第１の処理タイミングを判断させるためのコードをさらに備え、前記第１の処理タイミングが、前記リソースの前記一部分を介して前記第２のＲＡＴ制御データを通信するためのものであり、前記少なくとも１つのコンピュータに通信させるための前記コードが、前記第１の処理タイミングに基づいて前記第２のＲＡＴ制御データを通信する、［Ｃ２２］に記載のコンピュータプログラム製品。
［Ｃ２４］前記少なくとも１つのコンピュータに前記第１の処理タイミングを判断させるための前記コードが、前記第２のＲＡＴのチャネルに関係するチャネル特性に少なくとも部分的に基づいて複数の処理タイミングから前記第１の処理タイミングを選択する、［Ｃ２３］に記載のコンピュータプログラム製品。
［Ｃ２５］前記少なくとも１つのコンピュータに前記第１の処理タイミングを判断させるための前記コードが、前記第１のＲＡＴの第１のＲＡＴ処理タイミングと前記第２のＲＡＴの前記第２の処理タイミングとの間の固定タイミングオフセットとして前記第１の処理タイミングを判断する、［Ｃ２３］に記載のコンピュータプログラム製品。
［Ｃ２６］前記第１のＲＡＴがロングタームエボリューションを備え、前記第１のキャリアがダウンリンクキャリアである、［Ｃ２２］に記載のコンピュータプログラム製品。
［Ｃ２７］前記コンピュータ可読媒体が、前記少なくとも１つのコンピュータに、前記第１のキャリアに少なくとも部分的に基づいて１つまたは複数の発展型ノードＢへのハンドオーバを実行させるためのコードをさらに備える、［Ｃ２６］に記載のコンピュータプログラム製品。
［Ｃ２８］前記コンピュータ可読媒体が、前記少なくとも１つのコンピュータに、前記第１のキャリアを介して前記第１のＲＡＴと前記第２のＲＡＴとについてのシステム情報を受信させるためのコードをさらに備え、前記少なくとも１つのコンピュータに前記ハンドオーバを実行させるための前記コードが、前記システム情報に基づいて前記第１のキャリアを介してハンドオーバ情報を受信するか、またはチャネル品質を測定する、［Ｃ２７］に記載のコンピュータプログラム製品。
［Ｃ２９］前記コンピュータ可読媒体が、前記少なくとも１つのコンピュータに、前記第１のキャリアに対応する前記アップリンクキャリアを使用して、前記第１のＲＡＴのランダムアクセスチャネルを介してサービスを要求させるためのコードをさらに備える、［Ｃ２６］に記載のコンピュータプログラム製品。
［Ｃ３０］プロセッサと、
前記プロセッサと電子通信しているメモリと、
前記メモリに記憶された命令と
を備える、キャリアアグリゲーション構成において制御情報を通信するための装置であって、前記命令が、前記プロセッサによって、
第１の無線アクセス技術（ＲＡＴ）に対応する第１のキャリアに関係する第１のリソース割当てを受信することと、
第２のＲＡＴに対応する第２のキャリアに関係する第２のリソース割当てを受信することであって、前記第１のキャリアと前記第２のキャリアとが、ワイヤレスネットワークにおいてデータを通信するためにアグリゲートされる、受信することと、
前記第１のリソース割当てに少なくとも部分的に基づいて、アップリンクキャリアを介して前記第１のＲＡＴについての第１のＲＡＴ制御データを通信するためのリソースを判断することと、
前記リソースの少なくとも一部分を介して、前記第１のＲＡＴの制御データのためのコンテナ中で第２のＲＡＴ制御データを通信することと
を行うように実行可能である、装置。
［Ｃ３１］前記命令が、前記プロセッサによって、
前記第２のＲＡＴによって定義される第２の処理タイミングとは異なる第１の処理タイミングを判断することであって、前記第１の処理タイミングが、前記リソースの前記一部分を介して前記第２のＲＡＴ制御データを通信するためのものである、判断することと、
前記第１の処理タイミングに基づいて前記第２のＲＡＴ制御データを通信することと
を行うようにさらに実行可能である、［Ｃ３０］に記載の装置。
［Ｃ３２］前記命令が、前記プロセッサによって、前記第２のＲＡＴのチャネルに関係するチャネル特性に少なくとも部分的に基づいて複数の処理タイミングから前記第１の処理タイミングを選択するようにさらに実行可能である、［Ｃ３１］に記載の装置。
［Ｃ３３］前記命令が、前記プロセッサによって、前記第１のＲＡＴの第１のＲＡＴ処理タイミングと前記第２のＲＡＴの前記第２の処理タイミングとの間の固定タイミングオフセットとして前記第１の処理タイミングを判断するようにさらに実行可能である、［Ｃ３１］に記載の装置。
［Ｃ３４］前記第１のＲＡＴがロングタームエボリューションを備え、前記第１のキャリアがダウンリンクキャリアである、［Ｃ３０］に記載の装置。
［Ｃ３５］前記命令が、前記プロセッサによって、前記第１のキャリアに少なくとも部分的に基づいて１つまたは複数の発展型ノードＢへのハンドオーバを実行するようにさらに実行可能である、［Ｃ３４］に記載の装置。
［Ｃ３６］前記命令が、前記プロセッサによって、
前記第１のキャリアを介して前記第１のＲＡＴと前記第２のＲＡＴとについてのシステム情報を受信することと、
前記システム情報に基づいて前記第１のキャリアを介してハンドオーバ情報を受信するか、またはチャネル品質を測定する前記ハンドオーバを実行することと
を行うようにさらに実行可能である、［Ｃ３５］に記載の装置。
［Ｃ３７］前記命令が、前記プロセッサによって、前記第１のキャリアに対応する前記アップリンクキャリアを使用して、前記第１のＲＡＴのランダムアクセスチャネルを介してサービスを要求するようにさらに実行可能である、［Ｃ３４］に記載の装置。
［Ｃ３８］第１の無線アクセス技術（ＲＡＴ）に対応する第１のキャリアに関係する第１のリソース割当てを受信し、第２のＲＡＴに対応する第２のキャリアに関係する第２のリソース割当てを受信するためのキャリア割当て受信構成要素であって、前記第１のキャリアと前記第２のキャリアとが、ワイヤレスネットワークにおいてデータを通信するためにアグリゲートされる、キャリア割当て受信構成要素と、
前記第１のリソース割当てに少なくとも部分的に基づいて、アップリンクキャリアを介して前記第１のＲＡＴについての第１のＲＡＴ制御データを通信するためのリソースを判断するための制御リソース判断構成要素と、
前記リソースの少なくとも一部分を介して、前記第１のＲＡＴの制御データのためのコンテナ中で第２のＲＡＴ制御データを通信するための制御データ通信構成要素と
を備える、キャリアアグリゲーション構成において制御情報を通信するための装置。
［Ｃ３９］前記制御リソース判断構成要素が、前記第２のＲＡＴによって定義される第２の処理タイミングとは異なる第１の処理タイミングを判断し、前記第１の処理タイミングが、前記リソースの前記一部分を介して前記第２のＲＡＴ制御データを通信するためのものであり、前記制御データ通信構成要素が、前記第１の処理タイミングに基づいて前記第２のＲＡＴ制御データを通信する、［Ｃ３８］に記載の装置。
［Ｃ４０］前記制御リソース判断構成要素が、前記第２のＲＡＴのチャネルに関係するチャネル特性に少なくとも部分的に基づいて複数の処理タイミングから前記第１の処理タイミングを選択することに部分的によって前記第１の処理タイミングを判断する、［Ｃ３９］に記載の装置。
［Ｃ４１］前記第１のＲＡＴがロングタームエボリューションを備え、前記第２のＲＡＴが高速パケットアクセスを備え、前記第１の処理タイミングが、前記第１のＲＡＴの７つのスロットまたは８．５個のスロットのいずれかになるように選択される、［Ｃ４０］に記載の装置。
［Ｃ４２］前記制御リソース判断構成要素が、前記第１のＲＡＴの第１のＲＡＴ処理タイミングと前記第２のＲＡＴの前記第２の処理タイミングとの間の固定タイミングオフセットとして前記第１の処理タイミングを判断する、［Ｃ３９］に記載の装置。
［Ｃ４３］前記第１のＲＡＴがロングタームエボリューションを備え、前記第２のＲＡＴが高速パケットアクセスを備え、前記第１の処理タイミングが３ミリ秒である、［Ｃ３９］に記載の装置。
［Ｃ４４］前記制御データ通信構成要素が、前記第１のＲＡＴに関係する周期性と報告オフセットとを使用して前記リソースを介して前記第２のＲＡＴ制御データを通信する、［Ｃ３９］に記載の装置。
［Ｃ４５］前記第１のＲＡＴがロングタームエボリューションを備え、前記第１のキャリアがダウンリンクキャリアである、［Ｃ３８］に記載の装置。
［Ｃ４６］前記第１のキャリアを介して前記第１のＲＡＴと前記第２のＲＡＴとについてのシステム情報を受信するためのシステム情報受信構成要素をさらに備える、［Ｃ４５］に記載の装置。
［Ｃ４７］前記第１のキャリアに少なくとも部分的に基づいて１つまたは複数の発展型ノードＢへのハンドオーバを実行するためのハンドオーバ構成要素をさらに備える、［Ｃ４５］に記載の装置。
［Ｃ４８］前記ハンドオーバ構成要素が、前記第１のキャリアを介してハンドオーバ情報を受信することに部分的に基づいて前記ハンドオーバを実行する、［Ｃ４７］に記載の装置。
［Ｃ４９］前記ハンドオーバ構成要素が、前記第１のキャリアを介してチャネル品質を測定することに部分的に基づいて前記ハンドオーバを実行する、［Ｃ４７］に記載の装置。
［Ｃ５０］前記第１のキャリアに対応する前記アップリンクキャリアを使用して、前記第１のＲＡＴのランダムアクセスチャネルを介してアクセスを要求するためのランダムアクセス生成構成要素をさらに備える、［Ｃ４５］に記載の装置。
［Ｃ５１］ユーザ機器（ＵＥ）に、第１の無線アクセス技術（ＲＡＴ）の第１のキャリアに関係するリソースの第１のセットを割り当てることと、
前記ＵＥに、第２のＲＡＴの第２のキャリアに関係するリソースの第２のセットを割り当てることと、
前記第１のＲＡＴの制御データを通信するために割り当てられたアップリンクキャリアのリソースを介して、前記第１のＲＡＴの制御データのためのコンテナ中でリソースの前記第２のセットについての制御データを受信することと
を備える、ワイヤレスネットワークにおいて１つまたは複数のデバイスにキャリアを割り当てるための方法。
［Ｃ５２］制御データを前記受信することが、前記第１のＲＡＴに関係する第１の送信タイミングに従って前記制御データを受信することを備える、［Ｃ５１］に記載の方法。
［Ｃ５３］リソースの前記第２のセットを与えるセルに前記制御データを通信することをさらに備える、［Ｃ５１］に記載の方法。
［Ｃ５４］前記第１のＲＡＴがロングタームエボリューションであり、前記第２のＲＡＴが高速パケットアクセスである、［Ｃ５１］に記載の方法。
［Ｃ５５］前記第１のキャリアを介して前記第１のＲＡＴと前記第２のＲＡＴとについてのシステム情報を送信することをさらに備える、［Ｃ５１］に記載の方法。
［Ｃ５６］前記第１のキャリアを介して１つまたは複数のｅＮＢへの前記ＵＥのためのハンドオーバを実行することをさらに備える、［Ｃ５５］に記載の方法。
［Ｃ５７］前記第１のキャリア上でランダムアクセスチャネルを通告することをさらに備える、［Ｃ５５］に記載の方法。
［Ｃ５８］ユーザ機器（ＵＥ）に、第１の無線アクセス技術（ＲＡＴ）の第１のキャリアに関係するリソースの第１のセットを割り当て、前記ＵＥに、第２のＲＡＴの第２のキャリアに関係するリソースの第２のセットを割り当てるための手段と、
前記第１のＲＡＴの制御データを通信するために割り当てられたアップリンクキャリアのリソースを介して、前記第１のＲＡＴの制御データのためのコンテナ中でリソースの前記第２のセットについての制御データを受信するための手段と
を備える、ワイヤレスネットワークにおいて１つまたは複数のデバイスにキャリアを割り当てるための装置。
［Ｃ５９］受信するための前記手段が、前記第１のＲＡＴに関係する第１の送信タイミングに従って前記制御データを受信する、［Ｃ５８］に記載の装置。
［Ｃ６０］前記第２のＲＡＴのための前記制御データを復号するか、またはリソースの前記第２のセットを与えるセルに前記制御データを通信するための手段をさらに備える、［Ｃ５８］に記載の装置。
［Ｃ６１］少なくとも１つのコンピュータに、ユーザ機器（ＵＥ）に、第１の無線アクセス技術（ＲＡＴ）の第１のキャリアに関係するリソースの第１のセットを割り当てさせるためのコードと、
前記少なくとも１つのコンピュータに、前記ＵＥに、第２のＲＡＴの第２のキャリアに関係するリソースの第２のセットを割り当てさせるためのコードと、
前記少なくとも１つのコンピュータに、前記第１のＲＡＴの制御データを通信するために割り当てられたアップリンクキャリアのリソースを介して、前記第１のＲＡＴの制御データのためのコンテナ中でリソースの前記第２のセットについての制御データを受信させるためのコードと
を備えるコンピュータ可読媒体
を備える、ワイヤレスネットワークにおいて１つまたは複数のデバイスにキャリアを割り当てるためのコンピュータプログラム製品。
［Ｃ６２］前記少なくとも１つのコンピュータに受信させるための前記コードが、前記第１のＲＡＴに関係する第１の送信タイミングに従って前記制御データを受信する、［Ｃ６１］に記載のコンピュータプログラム製品。
［Ｃ６３］前記コンピュータ可読媒体が、前記少なくとも１つのコンピュータに、前記第２のＲＡＴのための前記制御データを復号させるか、またはリソースの前記第２のセットを与えるセルに前記制御データを通信させるためのコードをさらに備える、［Ｃ６１］に記載のコンピュータプログラム製品。
［Ｃ６４］プロセッサと、
前記プロセッサと電子通信しているメモリと、
前記メモリに記憶された命令と
を備える、ワイヤレスネットワークにおいて１つまたは複数のデバイスにキャリアを割り当てるための装置であって、前記命令が、前記プロセッサによって、
ユーザ機器（ＵＥ）に、第１の無線アクセス技術（ＲＡＴ）の第１のキャリアに関係するリソースの第１のセットを割り当てることと、
前記ＵＥに、第２のＲＡＴの第２のキャリアに関係するリソースの第２のセットを割り当てることと、
前記第１のＲＡＴの制御データを通信するために割り当てられたアップリンクキャリアのリソースを介して、前記第１のＲＡＴの制御データのためのコンテナ中でリソースの前記第２のセットについての制御データを受信することと
を行うように実行可能である、装置。
［Ｃ６５］前記命令が、前記プロセッサによって、前記第１のＲＡＴに関係する第１の送信タイミングに従って前記制御データを受信するようにさらに実行可能である、［Ｃ６４］に記載の装置。
［Ｃ６６］前記命令が、前記プロセッサによって、前記第２のＲＡＴのための前記制御データを復号するか、またはリソースの前記第２のセットを与えるセルに前記制御データを通信するようにさらに実行可能である、［Ｃ６４］に記載の装置。
［Ｃ６７］ユーザ機器（ＵＥ）に、第１の無線アクセス技術（ＲＡＴ）の第１のキャリアに関係するリソースの第１のセットを割り当て、前記ＵＥに、第２のＲＡＴの第２のキャリアに関係するリソースの第２のセットを割り当てるためのキャリア割当て構成要素と、
前記第１のＲＡＴの制御データを通信するために割り当てられたアップリンクキャリアのリソースを介して、前記第１のＲＡＴの制御データのためのコンテナ中でリソースの前記第２のセットについての制御データを受信するための制御データ受信構成要素と
を備える、ワイヤレスネットワークにおいて１つまたは複数のデバイスにキャリアを割り当てるための装置。
［Ｃ６８］前記制御データ受信構成要素が、前記第１のＲＡＴに関係する第１の送信タイミングに従って前記制御データを受信する、［Ｃ６７］に記載の装置。
［Ｃ６９］前記第２のＲＡＴのための前記制御データを復号するか、またはリソースの前記第２のセットを与えるセルに前記制御データを通信するための制御データ処理構成要素をさらに備える、［Ｃ６７］に記載の装置。
［Ｃ７０］前記第１のＲＡＴがロングタームエボリューションであり、前記第２のＲＡＴが高速パケットアクセスである、［Ｃ６７］に記載の装置。
［Ｃ７１］前記第１のキャリアを介して前記第１のＲＡＴと前記第２のＲＡＴとについてのシステム情報を送信するためのシステム情報通信構成要素をさらに備える、［Ｃ６７］に記載の装置。
［Ｃ７２］前記第１のキャリアを介して１つまたは複数のｅＮＢへの前記ＵＥのためのハンドオーバを実行するためのハンドオーバ構成要素をさらに備える、［Ｃ７１］に記載の装置。
［Ｃ７３］前記第１のキャリア上でランダムアクセスチャネルを通告するためのランダムアクセスパラメータブロードキャスト構成要素をさらに備える、［Ｃ７１］に記載の装置。
【図１】
0005815864.tif 000002
【図２】
0005815864.tif 000003
【図３】
0005815864.tif 000004
【図４】
0005815864.tif 000005
【図５】
0005815864.tif 000006
【図６】
0005815864.tif 000007
【図７】
0005815864.tif 000008
【図８】
0005815864.tif 000009
【図９】
0005815864.tif 000010
【図１０】
0005815864.tif 000011
【図１１】
0005815864.tif 000012
【図１２】
0005815864.tif 000013
【図１３】
0005815864.tif 000014
【図１４】
0005815864.tif 000015
【図１５】
0005815864.tif 000016
【図１６】
0005815864.tif 000017
【図１７】
0005815864.tif 000018
【図１８】
0005815864.tif 000019